(57)【要約】  例示的な装置は、第１の光束および４００ナノメートル（ｎｍ）以上４８０ｎｍ以下の第１の波長においてピーク強度を有する第１の光を発するように構成される。第１の光束は可変である、および／または第１の光の発出は１回以上中断される。装置はまた、第２の光束および５００ｎｍ以上６３０ｎｍ以下の第２の波長においてピーク強度を有する第２の光を発するように構成される。第２の光束は可変である、および／または第２の光の発出は１回以上中断される。第１の光束は、少なくとも第２の光束が最大でない時間の間、最大である。【選択図】図１３
2020520546.tif 000002
【特許請求の範囲】
【請求項１】
光源アセンブリと、
制御システムであって、前記光源アセンブリに、
第１の光束および４００ナノメートル（ｎｍ）以上４８０ｎｍ以下の第１の波長においてピーク強度を有する第１の光を発することであって、前記第１の光束は可変である、または前記第１の光の発出は１回以上中断される、第１の光を発すること、および
第２の光束および５００ｎｍ以上６３０ｎｍ以下の第２の波長においてピーク強度を有する第２の光を発することであって、前記第２の光束は可変である、または前記第２の光の発出は１回以上中断される、第２の光を発すること
を含む機能を実行させるように構成された制御システムと、を備え、
前記第１の光束は、少なくとも前記第２の光束が最大でない時間の間、最大である、
装置。
【請求項２】
前記第１の光または前記第２の光が、有限の波長範囲を含む強度スペクトルを有する、請求項１に記載の装置。
【請求項３】
前記光源アセンブリが、前記第１の光を発するように構成された第１の光源と、前記第２の光を発するように構成された第２の光源とを備える、請求項１または２に記載の装置。
【請求項４】
前記光源アセンブリが、１つまたは複数の発光ダイオード（ＬＥＤ）を備える、請求項１〜３のいずれか一項に記載の装置。
【請求項５】
前記第１の波長が４１０ｎｍ以上４３０ｎｍ以下である、請求項１〜４のいずれか一項に記載の装置。
【請求項６】
前記第１の波長が４１５ｎｍ以上４２５ｎｍ以下である、請求項１〜５のいずれか一項に記載の装置。
【請求項７】
前記第１の波長が４１８ｎｍ以上４２２ｎｍ以下である、請求項１〜６のいずれか一項に記載の装置。
【請求項８】
前記第２の波長が５３５ｎｍ以上５６５ｎｍ以下である、請求項１〜７のいずれか一項に記載の装置。
【請求項９】
前記第２の波長が５４５ｎｍ以上５５５ｎｍ以下である、請求項１〜８のいずれか一項に記載の装置。
【請求項１０】
前記第２の波長が５４８ｎｍ以上５５２ｎｍ以下である、請求項１〜９のいずれか一項に記載の装置。
【請求項１１】
前記第１の光束が前記第２の光束と位相を異にする、請求項１〜１０のいずれか一項に記載の装置。
【請求項１２】
前記第１の光束が方形波、正弦波、のこぎり波、三角波または他のいずれかのデジタルもしくはアナログ波の形をとる、請求項１〜１１のいずれか一項に記載の装置。
【請求項１３】
前記第２の光束が方形波、正弦波、のこぎり波、三角波または他のいずれかのデジタルもしくはアナログ波の形をとる、請求項１〜１２のいずれか一項に記載の装置。
【請求項１４】
前記第１の光束および前記第２の光束が、それぞれのデューティサイクルが等しいそれぞれの波の形またはそれぞれのデューティサイクルが等しい他の波形の形をとる、請求項１〜１３のいずれか一項に記載の装置。
【請求項１５】
前記第１の光束および前記第２の光束が、それぞれのデューティサイクルが等しくないそれぞれの波の形またはそれぞれのデューティサイクルが等しくない他の波形の形をとる、請求項１〜１３のいずれか一項に記載の装置。
【請求項１６】
前記第１の光束および前記第２の光束が、１００Ｈｚ以下のそれぞれの周波数で周期的である、請求項１〜１５のいずれか一項に記載の装置。
【請求項１７】
前記第１の光束および前記第２の光束が、５０Ｈｚ以下のそれぞれの周波数で周期的である、請求項１〜１６のいずれか一項に記載の装置。
【請求項１８】
前記第１の光を発することが、前記第１の光が１０，０００ルクス以下の照度でユーザの網膜を照らすように前記第１の光を発することを含む、請求項１〜１７のいずれか一項に記載の装置。
【請求項１９】
前記第１の光を発することが、前記第１の光が５，０００ルクス以下の照度でユーザの網膜を照らすように前記第１の光を発することを含む、請求項１〜１８のいずれか一項に記載の装置。
【請求項２０】
前記第１の光を発することが、前記第１の光が１，０００ルクス以下の照度でユーザの網膜を照らすように前記第１の光を発することを含む、請求項１〜１９のいずれか一項に記載の装置。
【請求項２１】
前記第１の光を発することが、前記第１の光が５００ルクス以下の照度でユーザの網膜を照らすように前記第１の光を発することを含む、請求項１〜２０のいずれか一項に記載の装置。
【請求項２２】
前記第１の光を発することが、前記第１の光が１００ルクス以下の照度でユーザの網膜を照らすように前記第１の光を発することを含む、請求項１〜２１のいずれか一項に記載の装置。
【請求項２３】
前記第１の光を発することが、前記第１の光が５０ルクス以下の照度でユーザの網膜を照らすように前記第１の光を発することを含む、請求項１〜２２のいずれか一項に記載の装置。
【請求項２４】
前記第１の光を発することが、前記第１の光が１０ルクス以下の照度でユーザの網膜を照らすように前記第１の光を発することを含む、請求項１〜２３のいずれか一項に記載の装置。
【請求項２５】
前記第１の光を発することが、前記第１の光が１ルクス以下の照度でユーザの網膜を照らすように前記第１の光を発することを含む、請求項１〜２４のいずれか一項に記載の装置。
【請求項２６】
前記第２の光を発することが、前記第２の光が１０，０００ルクス以下の照度でユーザの網膜を照らすように前記第２の光を発することを含む、請求項１〜２５のいずれか一項に記載の装置。
【請求項２７】
前記第２の光を発することが、前記第２の光が５，０００ルクス以下の照度でユーザの網膜を照らすように前記第２の光を発することを含む、請求項１〜２６のいずれか一項に記載の装置。
【請求項２８】
前記第２の光を発することが、前記第２の光が１，０００ルクス以下の照度でユーザの網膜を照らすように前記第２の光を発することを含む、請求項１〜２７のいずれか一項に記載の装置。
【請求項２９】
前記第２の光を発することが、前記第２の光が５００ルクス以下の照度でユーザの網膜を照らすように前記第２の光を発することを含む、請求項１〜２８のいずれか一項に記載の装置。
【請求項３０】
前記第２の光を発することが、前記第２の光が１００ルクス以下の照度でユーザの網膜を照らすように前記第２の光を発することを含む、請求項１〜２９のいずれか一項に記載の装置。
【請求項３１】
前記第２の光を発することが、前記第２の光が５０ルクス以下の照度でユーザの網膜を照らすように前記第２の光を発することを含む、請求項１〜３０のいずれか一項に記載の装置。
【請求項３２】
前記第２の光を発することが、前記第２の光が１０ルクス以下の照度でユーザの網膜を照らすように前記第２の光を発することを含む、請求項１〜３１のいずれか一項に記載の装置。
【請求項３３】
前記第２の光を発することが、前記第２の光が１ルクス以下の照度でユーザの網膜を照らすように前記第２の光を発することを含む、請求項１〜３２のいずれか一項に記載の装置。
【請求項３４】
前記第１の光のパワースペクトル密度の少なくとも５０％、少なくとも６０％、少なくとも７０％、少なくとも８０％、少なくとも９０％または少なくとも９５％が、４００ｎｍ〜４２０ｎｍの範囲内の波長に対応する、請求項１〜３３のいずれか一項に記載の装置。
【請求項３５】
前記第１の光のパワースペクトル密度の少なくとも５０％、少なくとも６０％、少なくとも７０％、少なくとも８０％、少なくとも９０％または少なくとも９５％が、４２０ｎｍ〜４４０ｎｍの範囲内の波長に対応する、請求項１〜３３のいずれか一項に記載の装置。
【請求項３６】
前記第１の光のパワースペクトル密度の少なくとも５０％、少なくとも６０％、少なくとも７０％、少なくとも８０％、少なくとも９０％または少なくとも９５％が、４４０ｎｍ〜４６０ｎｍの範囲内の波長に対応する、請求項１〜３３のいずれか一項に記載の装置。
【請求項３７】
前記第１の光のパワースペクトル密度の少なくとも５０％、少なくとも６０％、少なくとも７０％、少なくとも８０％、少なくとも９０％または少なくとも９５％が、４６０ｎｍ〜４８０ｎｍの範囲内の波長に対応する、請求項１〜３３のいずれか一項に記載の装置。
【請求項３８】
前記第２の光のパワースペクトル密度の少なくとも５０％、少なくとも６０％、少なくとも７０％、少なくとも８０％、少なくとも９０％または少なくとも９５％が、５００ｎｍ〜５３０ｎｍの範囲内の波長に対応する、請求項１〜３７のいずれか一項に記載の装置。
【請求項３９】
前記第２の光のパワースペクトル密度の少なくとも５０％、少なくとも６０％、少なくとも７０％、少なくとも８０％、少なくとも９０％または少なくとも９５％が、５３０ｎｍ〜５６０ｎｍの範囲内の波長に対応する、請求項１〜３７のいずれか一項に記載の装置。
【請求項４０】
前記第２の光のパワースペクトル密度の少なくとも５０％、少なくとも６０％、少なくとも７０％、少なくとも８０％、少なくとも９０％または少なくとも９５％が、５６０ｎｍ〜５９０ｎｍの範囲内の波長に対応する、請求項１〜３７のいずれか一項に記載の装置。
【請求項４１】
前記第２の光のパワースペクトル密度の少なくとも５０％、少なくとも６０％、少なくとも７０％、少なくとも８０％、少なくとも９０％または少なくとも９５％が、５９０ｎｍ〜６３０ｎｍの範囲内の波長に対応する、請求項１〜３７のいずれか一項に記載の装置。
【請求項４２】
前記第１の光束が、ゼロよりも大きい最小値に周期的に達する、請求項１〜４１のいずれか一項に記載の装置。
【請求項４３】
前記第１の光束が、ゼロに等しい最小値に周期的に達する、請求項１〜４１のいずれか一項に記載の装置。
【請求項４４】
前記第２の光束が、ゼロよりも大きい最小値に周期的に達する、請求項１〜４３のいずれか一項に記載の装置。
【請求項４５】
前記第２の光束が、ゼロに等しい最小値に周期的に達する、請求項１〜４３のいずれか一項に記載の装置。
【請求項４６】
請求項１〜４５のいずれか一項に記載の制御システム。
【請求項４７】
光源アセンブリを介して、第１の光束および４００ナノメートル（ｎｍ）以上４８０ｎｍ以下の第１の波長においてピーク強度を有する第１の光を発することであって、前記第１の光束は可変である、または前記第１の光の発出は１回以上中断される、第１の光を発すること、および
前記光源アセンブリを介して、第２の光束および５００ｎｍ以上６３０ｎｍ以下の第２の波長においてピーク強度を有する第２の光を発することであって、前記第２の光束は可変である、または前記第２の光の発出は１回以上中断される、第２の光を発することを含み、
前記第１の光束は、少なくとも前記第２の光束が最大でない時間の間、最大である、
方法。
【請求項４８】
前記光源アセンブリが請求項１〜３４のいずれか一項に記載の装置の一部である、請求項４７に記載の方法。
【請求項４９】
前記第１の光または前記第２の光が、有限の波長範囲を含む強度スペクトルを有する、請求項４７または４８に記載の方法。
【請求項５０】
前記光源アセンブリが、前記第１の光を発するように構成された第１の光源と、前記第２の光を発するように構成された第２の光源とを備える、請求項４７〜４９のいずれか一項に記載の方法。
【請求項５１】
前記光源アセンブリが、１つまたは複数の発光ダイオード（ＬＥＤ）を備える、請求項４７〜５０のいずれか一項に記載の方法。
【請求項５２】
前記第１の波長が４１０ｎｍ以上４３０ｎｍ以下である、請求項４７〜５１のいずれか一項に記載の方法。
【請求項５３】
前記第１の波長が４１５ｎｍ以上４２５ｎｍ以下である、請求項４７〜５２のいずれか一項に記載の方法。
【請求項５４】
前記第１の波長が４１８ｎｍ以上４２２ｎｍ以下である、請求項４７〜５３のいずれか一項に記載の方法。
【請求項５５】
前記第２の波長が５３５ｎｍ以上５６５ｎｍ以下である、請求項４７〜５４のいずれか一項に記載の方法。
【請求項５６】
前記第２の波長が５４５ｎｍ以上５５５ｎｍ以下である、請求項４７〜５５のいずれか一項に記載の方法。
【請求項５７】
前記第２の波長が５４８ｎｍ以上５５２ｎｍ以下である、請求項４７〜５６のいずれか一項に記載の方法。
【請求項５８】
前記第１の光束が  だけ前記第２の光束と位相を異にする、請求項４７〜５７のいずれか一項に記載の方法。
【請求項５９】
前記第１の光束が方形波、正弦波、のこぎり波、三角波または他のいずれかのデジタルもしくはアナログ波の形をとる、請求項４７〜５８のいずれか一項に記載の方法。
【請求項６０】
前記第２の光束が方形波、正弦波、のこぎり波、三角波または他のいずれかのデジタルもしくはアナログ波の形をとる、請求項４７〜５９のいずれか一項に記載の方法。
【請求項６１】
前記第１の光束および前記第２の光束が、それぞれのデューティサイクルが等しいそれぞれの波の形またはそれぞれのデューティサイクルが等しい他の波形の形をとる、請求項４７〜６０のいずれか一項に記載の方法。
【請求項６２】
前記第１の光束および前記第２の光束が、それぞれのデューティサイクルが等しくないそれぞれの波の形またはそれぞれのデューティサイクルが等しくない他の波形の形をとる、請求項４７〜６０のいずれか一項に記載の方法。
【請求項６３】
前記第１の光束および前記第２の光束が、１００Ｈｚ以下のそれぞれの周波数で周期的である、請求項４７〜６２のいずれか一項に記載の方法。
【請求項６４】
前記第１の光束および前記第２の光束が、５０Ｈｚ以下のそれぞれの周波数で周期的である、請求項４７〜６３のいずれか一項に記載の方法。
【請求項６５】
前記第１の光を発することが、前記第１の光が１０，０００ルクス以下の照度でユーザの網膜を照らすように前記第１の光を発することを含む、請求項４７〜６４のいずれか一項に記載の方法。
【請求項６６】
前記第１の光を発することが、前記第１の光が５，０００ルクス以下の照度でユーザの網膜を照らすように前記第１の光を発することを含む、請求項４７〜６５のいずれか一項に記載の方法。
【請求項６７】
前記第１の光を発することが、前記第１の光が１，０００ルクス以下の照度でユーザの網膜を照らすように前記第１の光を発することを含む、請求項４７〜６６のいずれか一項に記載の方法。
【請求項６８】
前記第１の光を発することが、前記第１の光が５００ルクス以下の照度でユーザの網膜を照らすように前記第１の光を発することを含む、請求項４７〜６７のいずれか一項に記載の方法。
【請求項６９】
前記第１の光を発することが、前記第１の光が１００ルクス以下の照度でユーザの網膜を照らすように前記第１の光を発することを含む、請求項４７〜６８のいずれか一項に記載の方法。
【請求項７０】
前記第１の光を発することが、前記第１の光が５０ルクス以下の照度でユーザの網膜を照らすように前記第１の光を発することを含む、請求項４７〜６９のいずれか一項に記載の方法。
【請求項７１】
前記第１の光を発することが、前記第１の光が１０ルクス以下の照度でユーザの網膜を照らすように前記第１の光を発することを含む、請求項４７〜７０のいずれか一項に記載の方法。
【請求項７２】
前記第１の光を発することが、前記第１の光が１ルクス以下の照度でユーザの網膜を照らすように前記第１の光を発することを含む、請求項４７〜７１のいずれか一項に記載の方法。
【請求項７３】
前記第２の光を発することが、前記第２の光が１０，０００ルクス以下の照度でユーザの網膜を照らすように前記第２の光を発することを含む、請求項４７〜７２のいずれか一項に記載の方法。
【請求項７４】
前記第２の光を発することが、前記第２の光が５，０００ルクス以下の照度でユーザの網膜を照らすように前記第２の光を発することを含む、請求項４７〜７３のいずれか一項に記載の方法。
【請求項７５】
前記第２の光を発することが、前記第２の光が１，０００ルクス以下の照度でユーザの網膜を照らすように前記第２の光を発することを含む、請求項４７〜７４のいずれか一項に記載の方法。
【請求項７６】
前記第２の光を発することが、前記第２の光が５００ルクス以下の照度でユーザの網膜を照らすように前記第２の光を発することを含む、請求項４７〜７５のいずれか一項に記載の方法。
【請求項７７】
前記第２の光を発することが、前記第２の光が１００ルクス以下の照度でユーザの網膜を照らすように前記第２の光を発することを含む、請求項４７〜７６のいずれか一項に記載の方法。
【請求項７８】
前記第２の光を発することが、前記第２の光が５０ルクス以下の照度でユーザの網膜を照らすように前記第２の光を発することを含む、請求項４７〜７７のいずれか一項に記載の方法。
【請求項７９】
前記第２の光を発することが、前記第２の光が１０ルクス以下の照度でユーザの網膜を照らすように前記第２の光を発することを含む、請求項４７〜７８のいずれか一項に記載の方法。
【請求項８０】
前記第２の光を発することが、前記第２の光が１ルクス以下の照度でユーザの網膜を照らすように前記第２の光を発することを含む、請求項４７〜７９のいずれか一項に記載の方法。
【請求項８１】
前記第１の光のパワースペクトル密度の少なくとも５０％、少なくとも６０％、少なくとも７０％、少なくとも８０％、少なくとも９０％または少なくとも９５％が、４００ｎｍ〜４２０ｎｍの範囲内の波長に対応する、請求項４７〜８０のいずれか一項に記載の方法。
【請求項８２】
前記第１の光のパワースペクトル密度の少なくとも５０％、少なくとも６０％、少なくとも７０％、少なくとも８０％、少なくとも９０％または少なくとも９５％が、４２０ｎｍ〜４４０ｎｍの範囲内の波長に対応する、請求項４７〜８０のいずれか一項に記載の方法。
【請求項８３】
前記第１の光のパワースペクトル密度の少なくとも５０％、少なくとも６０％、少なくとも７０％、少なくとも８０％、少なくとも９０％または少なくとも９５％が、４４０ｎｍ〜４６０ｎｍの範囲内の波長に対応する、請求項４７〜８０のいずれか一項に記載の方法。
【請求項８４】
前記第１の光のパワースペクトル密度の少なくとも５０％、少なくとも６０％、少なくとも７０％、少なくとも８０％、少なくとも９０％または少なくとも９５％が、４６０ｎｍ〜４８０ｎｍの範囲内の波長に対応する、請求項４７〜８０のいずれか一項に記載の方法。
【請求項８５】
前記第２の光のパワースペクトル密度の少なくとも５０％、少なくとも６０％、少なくとも７０％、少なくとも８０％、少なくとも９０％または少なくとも９５％が、５００ｎｍ〜５３０ｎｍの範囲内の波長に対応する、請求項４７〜８４のいずれか一項に記載の方法。
【請求項８６】
前記第２の光のパワースペクトル密度の少なくとも５０％、少なくとも６０％、少なくとも７０％、少なくとも８０％、少なくとも９０％または少なくとも９５％が、５３０ｎｍ〜５６０ｎｍの範囲内の波長に対応する、請求項４７〜８４のいずれか一項に記載の方法。
【請求項８７】
前記第２の光のパワースペクトル密度の少なくとも５０％、少なくとも６０％、少なくとも７０％、少なくとも８０％、少なくとも９０％または少なくとも９５％が、５６０ｎｍ〜５９０ｎｍの範囲内の波長に対応する、請求項４７〜８４のいずれか一項に記載の方法。
【請求項８８】
前記第２の光のパワースペクトル密度の少なくとも５０％、少なくとも６０％、少なくとも７０％、少なくとも８０％、少なくとも９０％または少なくとも９５％が、５９０ｎｍ〜６３０ｎｍの範囲内の波長に対応する、請求項４７〜８４のいずれか一項に記載の方法。
【請求項８９】
前記第１の光束が、ゼロよりも大きい最小値に周期的に達する、請求項４７〜８４のいずれか一項に記載の方法。
【請求項９０】
前記第１の光束が、ゼロに等しい最小値に周期的に達する、請求項４７〜８８のいずれか一項に記載の方法。
【請求項９１】
前記第２の光束が、ゼロよりも大きい最小値に周期的に達する、請求項４７〜９０のいずれか一項に記載の方法。
【請求項９２】
前記第２の光束が、ゼロに等しい最小値に周期的に達する、請求項４７〜９０のいずれか一項に記載の方法。
【請求項９３】
昼光、黒体、または別の照明参照標準と比較した場合に７０を超える演色評価数を有する白色光源であって、４８０ｎｍ〜５８０ｎｍの範囲内のピーク波長を有する光を発するように構成される白色光源。
【請求項９４】
前記ピーク波長が５２０ｎｍ〜５７０ｎｍの範囲内である、請求項９３に記載の白色光源。
【請求項９５】
４８０ｎｍ〜５６０ｎｍの範囲内のピーク強度を有する第１の光を発するように構成された１つまたは複数の別個の発光ダイオード（ＬＥＤ）と、
昼光、黒体、または別の照明参照標準と比較した場合に７０を超える演色評価数を有する１つまたは複数の白色ＬＥＤであって、組み合わされた前記第１の光と前記第２の光が４８０ｎｍ〜５８０ｎｍの範囲内の波長でピーク強度を有するように第２の光を発するように構成されている１つまたは複数の白色ＬＥＤと
を備える光源。
【請求項９６】
前記第１の光のパワースペクトル密度の少なくとも５０％、少なくとも６０％、少なくとも７０％、少なくとも８０％、少なくとも９０％または少なくとも９５％が、４８０ｎｍ〜５６０ｎｍの範囲内の波長に対応する、請求項９５に記載の光源。
【請求項９７】
４００ｎｍ〜７８０ｎｍの範囲内の１つまたは複数の波長を有する周囲光の存在下に前記光源を操作することを含む、請求項９５または９６に記載の光源を操作するための方法。
【請求項９８】
光源アセンブリと、
ある光束および４００ナノメートル（ｎｍ）以上４８０ｎｍ以下の波長においてピーク強度を有する光を前記光源アセンブリに発出させるように構成された制御システムであって、前記光束は可変である、または前記光の発出は１回以上中断される、制御システムと
を備える装置。
【請求項９９】
前記光源アセンブリが、１つまたは複数の発光ダイオード（ＬＥＤ）を備える、請求項９８に記載の装置。
【請求項１００】
前記波長が４１０ｎｍ以上４３０ｎｍ以下である、請求項９８または９９に記載の装置。
【請求項１０１】
前記波長が４１５ｎｍ以上４２５ｎｍ以下である、請求項９８〜１００のいずれか一項に記載の装置。
【請求項１０２】
前記波長が４１８ｎｍ以上４２２ｎｍ以下である、請求項９８〜１０１のいずれか一項に記載の装置。
【請求項１０３】
前記光束が方形波、正弦波、のこぎり波、または三角波形をとる、請求項９８〜１０２のいずれか一項に記載の装置。
【請求項１０４】
前記光束が、１００Ｈｚ以下の周波数で周期的である、請求項９８〜１０３のいずれか一項に記載の装置。
【請求項１０５】
前記光束が、５０Ｈｚ以下の周波数で周期的である、請求項９８〜１０４のいずれか一項に記載の装置。
【請求項１０６】
前記光を発することが、前記光が１０，０００ルクス以下の照度でユーザの網膜を照らすように前記光を発することを含む、請求項９８〜１０５のいずれか一項に記載の装置。
【請求項１０７】
前記光を発することが、前記光が５，０００ルクス以下の照度でユーザの網膜を照らすように前記光を発することを含む、請求項９８〜１０６のいずれか一項に記載の装置。
【請求項１０８】
前記光を発することが、前記光が１，０００ルクス以下の照度でユーザの網膜を照らすように前記光を発することを含む、請求項９８〜１０７のいずれか一項に記載の装置。
【請求項１０９】
前記光を発することが、前記光が５００ルクス以下の照度でユーザの網膜を照らすように前記光を発することを含む、請求項９８〜１０８のいずれか一項に記載の装置。
【請求項１１０】
前記光を発することが、前記光が１００ルクス以下の照度でユーザの網膜を照らすように前記光を発することを含む、請求項９８〜１０９のいずれか一項に記載の装置。
【請求項１１１】
前記光を発することが、前記光が５０ルクス以下の照度でユーザの網膜を照らすように前記光を発することを含む、請求項９８〜１１０のいずれか一項に記載の装置。
【請求項１１２】
前記光を発することが、前記光が１０ルクス以下の照度でユーザの網膜を照らすように前記光を発することを含む、請求項９８〜１１１のいずれか一項に記載の装置。
【請求項１１３】
前記光を発することが、前記光が１ルクス以下の照度でユーザの網膜を照らすように前記光を発することを含む、請求項９８〜１１２のいずれか一項に記載の装置。
【請求項１１４】
前記光のパワースペクトル密度の少なくとも５０％、少なくとも６０％、少なくとも７０％、少なくとも８０％、少なくとも９０％または少なくとも９５％が、４００ｎｍ〜４８０ｎｍの範囲内の波長に対応する、請求項９８〜１１３のいずれか一項に記載の装置。
【請求項１１５】
前記光束が、ゼロよりも大きい最小値に周期的に達する、請求項９８〜１１４のいずれか一項に記載の装置。
【請求項１１６】
前記光束が、ゼロに等しい最小値に周期的に達する、請求項９８〜１１４のいずれか一項に記載の装置。
【請求項１１７】
４７０ｎｍ〜５８０ｎｍの範囲内のピーク強度を有する第１の光、および
昼光、黒体、または別の照明参照標準と比較した場合に７０を超える演色評価数を有する第２の白色光
を発するように構成された１つまたは複数の光源であって、
前記第２の光の光束が前記第１の光の光束より小さい、１つまたは複数の光源。
【請求項１１８】
前記第１の光のパワースペクトル密度の少なくとも５０％、少なくとも６０％、少なくとも７０％、少なくとも８０％、少なくとも９０％または少なくとも９５％が、４７０ｎｍ〜５８０ｎｍの範囲内の波長に対応する、請求項１１７に記載の１つまたは複数の光源。
【請求項１１９】
６００ｎｍ〜７００ｎｍの範囲内のピーク強度を有する第１の光、および
昼光、黒体、または別の照明参照標準と比較した場合に７０を超える演色評価数を有する第２の白色光
を発するように構成された１つまたは複数の光源であって、
前記第２の光の光束が前記第１の光の光束より小さい、１つまたは複数の光源。
【請求項１２０】
前記第１の光のパワースペクトル密度の少なくとも５０％、少なくとも６０％、少なくとも７０％、少なくとも８０％、少なくとも９０％または少なくとも９５％が、６００ｎｍ〜７００ｎｍの範囲内の波長に対応する、請求項１１９に記載の１つまたは複数の光源。
【請求項１２１】
昼光、黒体、または別の照明参照標準と比較した場合に７０を超える演色評価数を有する第１の光を発するように構成された１つまたは複数の光源と、
前記１つまたは複数の光源によって照射されると、前記第１の光と第２の光が組み合わされて４７０ｎｍ〜５８０ｎｍの範囲内の波長でピーク強度を有するように第２の光を発する１つまたは複数の蛍光体と
を備える装置。
【請求項１２２】
前記第２の光のパワースペクトル密度の少なくとも５０％、少なくとも６０％、少なくとも７０％、少なくとも８０％、少なくとも９０％または少なくとも９５％が、４７０ｎｍ〜５８０ｎｍの範囲内の波長に対応する、請求項１２１に記載の装置。
【請求項１２３】
前記装置または光源が、対象者の網膜に光を当てるように構成されたゴーグル、ヘッドバンド、アームウェア、リストウェア、または治療用ウェアラブル装置を含むがそれらに限定されないウェアラブル装置に組み込まれる、請求項１〜４５、９３〜９６、または９８〜１２２のいずれか一項に記載の装置または光源。
【請求項１２４】
前記装置または光源が、自動車、飛行機、ヘリコプター、ボート、船、または列車を含むがそれらに限定されない乗り物に組み込まれる、または前記装置が、ダッシュボード、アクセント照明ユニット、客室一般照明ユニット、またはヘッドライトユニットに組み込まれる、請求項１〜４５、９３〜９６、または９８〜１２２のいずれか一項に記載の装置または光源。
【請求項１２５】
前記装置または光源が、携帯電話、タブレットコンピュータ、モニタ、またはテレビを含むがそれらに限定されないディスプレイユニットに組み込まれる、請求項１〜４５、９３〜９６、または９８〜１２２のいずれか一項に記載の装置または光源。
【請求項１２６】
前記装置または光源が、ランプ、常夜灯、シャンデリア、または頭上照明ユニットを含むがそれらに限定されない照明ユニットに組み込まれる、請求項１〜４５、９３〜９６、または９８〜１２２のいずれか一項に記載の装置または光源。
【請求項１２７】
請求項１〜４５、９３〜９６、または９８〜１２２に記載の装置または光源のいずれかによって実行される請求項４７〜９２または９７のいずれか一項に記載の方法であって、前記方法の実行により対象者の概日周期の前送りまたは遅延が引き起こされる、方法。
【請求項１２８】
季節性情動障害（ＳＡＤ）または別の気分障害に苦しむ対象者を治療するために実行される、請求項１〜４５、９３〜９６、または９８〜１２２に記載の装置または光源のいずれかによって実行される請求項４７〜９２、９７または１２７のいずれか一項に記載の方法。
【請求項１２９】
前記季節性情動障害（ＳＡＤ）または他の気分障害がＳＡＤ、うつ病、双極性障害、および気分変調症（ｄｙｓｔｈｅｍｉａ）、癌および心臓病からなる群から選択される、請求項１〜４５、９３〜９６、または９８〜１２２に記載の装置または光源のいずれかによって実行される請求項１２８に記載の方法。
【請求項１３０】
光源アセンブリと、
制御システムであって、前記光源アセンブリに、
第１の光束および４００ナノメートル（ｎｍ）以上４４０ｎｍ以下の第１の波長においてピーク強度を有する第１の光を発することであって、前記第１の光束は可変である、または前記第１の光の発出は１回以上中断される、第１の光を発すること、および
第２の光束を有しかつ２５００ケルビン以上６０００ケルビン以下の色相関温度を有する第２の光を発することであって、前記第２の光束は可変である、または前記第２の光の発出は１回以上中断され、前記第２の光は昼光、黒体、または別の照明参照標準と比較した場合に７０を超える演色評価数を有する、第２の光を発すること
を含む機能を実行させるように構成された制御システムと、を備え、
前記第１の光束は、少なくとも前記第２の光束が最大でない時間の間、最大である、
装置。
【請求項１３１】
前記第１の光または前記第２の光が、有限の波長範囲を含む強度スペクトルを有する、請求項１３０に記載の装置。
【請求項１３２】
前記光源アセンブリが、前記第１の光を発するように構成された第１の光源と、前記第２の光を発するように構成された第２の光源とを備える、請求項１３０または１３１に記載の装置。
【請求項１３３】
前記光源アセンブリが、１つまたは複数の発光ダイオード（ＬＥＤ）を備える、請求項１３０〜１３２のいずれか一項に記載の装置。
【請求項１３４】
前記第１の光束が前記第２の光束と位相を異にする、請求項１３０〜１３３のいずれか一項に記載の装置。
【請求項１３５】
前記第１の光束が方形波、正弦波、のこぎり波、三角波または他のいずれかのデジタルもしくはアナログ波の形をとる、請求項１３０〜１３４のいずれか一項に記載の装置。
【請求項１３６】
前記第２の光束が方形波、正弦波、のこぎり波、三角波または他のいずれかのデジタルもしくはアナログ波の形をとる、請求項１３０〜１３５のいずれか一項に記載の装置。
【請求項１３７】
前記第１の光束および前記第２の光束が、それぞれのデューティサイクルが等しいそれぞれの波の形またはそれぞれのデューティサイクルが等しい他の波形の形をとる、請求項１３０〜１３６のいずれか一項に記載の装置。
【請求項１３８】
前記第１の光束および前記第２の光束が、それぞれのデューティサイクルが等しくないそれぞれの波の形またはそれぞれのデューティサイクルが等しくない他の波形の形をとる、請求項１３０〜１３６のいずれか一項に記載の装置。
【請求項１３９】
前記第１の光束および前記第２の光束が、１００Ｈｚ以下のそれぞれの周波数で周期的である、請求項１３０〜１３８のいずれか一項に記載の装置。
【請求項１４０】
前記第１の光束および前記第２の光束が、５０Ｈｚ以下のそれぞれの周波数で周期的である、請求項１３０〜１３９のいずれか一項に記載の装置。
【請求項１４１】
前記第１の光を発することが、前記第１の光が１０，０００ルクス以下の照度でユーザの網膜を照らすように前記第１の光を発することを含む、請求項１３０〜１４０のいずれか一項に記載の装置。
【請求項１４２】
前記第１の光を発することが、前記第１の光が５，０００ルクス以下の照度でユーザの網膜を照らすように前記第１の光を発することを含む、請求項１３０〜１４１のいずれか一項に記載の装置。
【請求項１４３】
前記第１の光を発することが、前記第１の光が１，０００ルクス以下の照度でユーザの網膜を照らすように前記第１の光を発することを含む、請求項１３０〜１４２のいずれか一項に記載の装置。
【請求項１４４】
前記第１の光を発することが、前記第１の光が５００ルクス以下の照度でユーザの網膜を照らすように前記第１の光を発することを含む、請求項１３０〜１４３のいずれか一項に記載の装置。
【請求項１４５】
前記第１の光を発することが、前記第１の光が１００ルクス以下の照度でユーザの網膜を照らすように前記第１の光を発することを含む、請求項１３０〜１４４のいずれか一項に記載の装置。
【請求項１４６】
前記第１の光を発することが、前記第１の光が５０ルクス以下の照度でユーザの網膜を照らすように前記第１の光を発することを含む、請求項１３０〜１４５のいずれか一項に記載の装置。
【請求項１４７】
前記第１の光を発することが、前記第１の光が１０ルクス以下の照度でユーザの網膜を照らすように前記第１の光を発することを含む、請求項１３０〜１４６のいずれか一項に記載の装置。
【請求項１４８】
前記第１の光を発することが、前記第１の光が１ルクス以下の照度でユーザの網膜を照らすように前記第１の光を発することを含む、請求項１３０〜１４７のいずれか一項に記載の装置。
【請求項１４９】
前記第２の光を発することが、前記第２の光が１０，０００ルクス以下の照度でユーザの網膜を照らすように前記第２の光を発することを含む、請求項１３０〜１４８のいずれか一項に記載の装置。
【請求項１５０】
前記第２の光を発することが、前記第２の光が５，０００ルクス以下の照度でユーザの網膜を照らすように前記第２の光を発することを含む、請求項１３０〜１４９のいずれか一項に記載の装置。
【請求項１５１】
前記第２の光を発することが、前記第２の光が１，０００ルクス以下の照度でユーザの網膜を照らすように前記第２の光を発することを含む、請求項１３０〜１５０のいずれか一項に記載の装置。
【請求項１５２】
前記第２の光を発することが、前記第２の光が５００ルクス以下の照度でユーザの網膜を照らすように前記第２の光を発することを含む、請求項１３０〜１５１のいずれか一項に記載の装置。
【請求項１５３】
前記第２の光を発することが、前記第２の光が１００ルクス以下の照度でユーザの網膜を照らすように前記第２の光を発することを含む、請求項１３０〜１５２のいずれか一項に記載の装置。
【請求項１５４】
前記第２の光を発することが、前記第２の光が５０ルクス以下の照度でユーザの網膜を照らすように前記第２の光を発することを含む、請求項１３０〜１５３のいずれか一項に記載の装置。
【請求項１５５】
前記第２の光を発することが、前記第２の光が１０ルクス以下の照度でユーザの網膜を照らすように前記第２の光を発することを含む、請求項１３０〜１５４のいずれか一項に記載の装置。
【請求項１５６】
前記第２の光を発することが、前記第２の光が１ルクス以下の照度でユーザの網膜を照らすように前記第２の光を発することを含む、請求項１３０〜１５５のいずれか一項に記載の装置。
【請求項１５７】
前記第１の光のパワースペクトル密度の少なくとも５０％、少なくとも６０％、少なくとも７０％、少なくとも８０％、少なくとも９０％または少なくとも９５％が、４００ｎｍ〜４４０ｎｍの範囲内の波長に対応する、請求項１３０〜１５６のいずれか一項に記載の装置。
【請求項１５８】
前記第１の光束が、ゼロよりも大きい最小値に周期的に達する、請求項１３０〜１５７のいずれか一項に記載の装置。
【請求項１５９】
前記第１の光束が、ゼロに等しい最小値に周期的に達する、請求項１３０〜１５７のいずれか一項に記載の装置。
【請求項１６０】
請求項１３０〜１５９のいずれか一項に記載の制御システム。
【請求項１６１】
光源アセンブリを介して、第１の光束および４００ナノメートル（ｎｍ）以上４４０ｎｍ以下の第１の波長においてピーク強度を有する第１の光を発することであって、前記第１の光束は可変である、または前記第１の光の発出は１回以上中断される、第１の光を発すること、および
前記光源アセンブリを介して、第２の光束を有しかつ２５００ケルビン以上６０００ケルビン以下の色相関温度を有する第２の光を発することであって、前記第２の光束は可変である、または前記第２の光の発出は１回以上中断され、前記第２の光は昼光、黒体、または別の照明参照標準と比較した場合に７０を超える演色評価数を有する、第２の光を発すること
を含み、
前記第１の光束は、少なくとも前記第２の光束が最大でない時間の間、最大である、
方法。
【請求項１６２】
前記光源アセンブリが請求項１３０〜１５９のいずれか一項に記載の装置の一部である、請求項１６１に記載の方法。
【請求項１６３】
前記第１の光または前記第２の光が、有限の波長範囲を含む強度スペクトルを有する、請求項１６１または１６２に記載の方法。
【請求項１６４】
前記光源アセンブリが、前記第１の光を発するように構成された第１の光源と、前記第２の光を発するように構成された第２の光源とを備える、請求項１６１〜１６３のいずれか一項に記載の方法。
【請求項１６５】
前記光源アセンブリが、１つまたは複数の発光ダイオード（ＬＥＤ）を備える、請求項１６１〜１６４のいずれか一項に記載の方法。
【請求項１６６】
前記第１の光束が前記第２の光束と位相を異にする、請求項１６１〜１６５のいずれか一項に記載の方法。
【請求項１６７】
前記第１の光束が方形波、正弦波、のこぎり波、三角波または他のいずれかのデジタルもしくはアナログ波の形をとる、請求項１６１〜１６６のいずれか一項に記載の方法。
【請求項１６８】
前記第２の光束が方形波、正弦波、のこぎり波、三角波または他のいずれかのデジタルもしくはアナログ波の形をとる、請求項１６１〜１６７のいずれか一項に記載の方法。
【請求項１６９】
前記第１の光束および前記第２の光束が、それぞれのデューティサイクルが等しいそれぞれの方形波の形またはそれぞれのデューティサイクルが等しい他の波形の形をとる、請求項１６１〜１６８のいずれか一項に記載の方法。
【請求項１７０】
前記第１の光束および前記第２の光束が、それぞれのデューティサイクルが等しくないそれぞれの方形波の形またはそれぞれのデューティサイクルが等しくない他の波形の形をとる、請求項１６１〜１６８のいずれか一項に記載の方法。
【請求項１７１】
前記第１の光束および前記第２の光束が、１００Ｈｚ以下のそれぞれの周波数で周期的である、請求項１６１〜１７０のいずれか一項に記載の方法。
【請求項１７２】
前記第１の光束および前記第２の光束が、５０Ｈｚ以下のそれぞれの周波数で周期的である、請求項１６１〜１７１のいずれか一項に記載の方法。
【請求項１７３】
前記第１の光を発することが、前記第１の光が１０，０００ルクス以下の照度でユーザの網膜を照らすように前記第１の光を発することを含む、請求項１６１〜１７２のいずれか一項に記載の方法。
【請求項１７４】
前記第１の光を発することが、前記第１の光が５，０００ルクス以下の照度でユーザの網膜を照らすように前記第１の光を発することを含む、請求項１６１〜１７３のいずれか一項に記載の方法。
【請求項１７５】
前記第１の光を発することが、前記第１の光が１，０００ルクス以下の照度でユーザの網膜を照らすように前記第１の光を発することを含む、請求項１６１〜１７４のいずれか一項に記載の方法。
【請求項１７６】
前記第１の光を発することが、前記第１の光が５００ルクス以下の照度でユーザの網膜を照らすように前記第１の光を発することを含む、請求項１６１〜１７５のいずれか一項に記載の方法。
【請求項１７７】
前記第１の光を発することが、前記第１の光が１００ルクス以下の照度でユーザの網膜を照らすように前記第１の光を発することを含む、請求項１６１〜１７６のいずれか一項に記載の方法。
【請求項１７８】
前記第１の光を発することが、前記第１の光が５０ルクス以下の照度でユーザの網膜を照らすように前記第１の光を発することを含む、請求項１６１〜１７７のいずれか一項に記載の方法。
【請求項１７９】
前記第１の光を発することが、前記第１の光が１０ルクス以下の照度でユーザの網膜を照らすように前記第１の光を発することを含む、請求項１６１〜１７８のいずれか一項に記載の方法。
【請求項１８０】
前記第１の光を発することが、前記第１の光が１ルクス以下の照度でユーザの網膜を照らすように前記第１の光を発することを含む、請求項１６１〜１７９のいずれか一項に記載の方法。
【請求項１８１】
前記第２の光を発することが、前記第２の光が１０，０００ルクス以下の照度でユーザの網膜を照らすように前記第２の光を発することを含む、請求項１６１〜１８０のいずれか一項に記載の方法。
【請求項１８２】
前記第２の光を発することが、前記第２の光が５，０００ルクス以下の照度でユーザの網膜を照らすように前記第２の光を発することを含む、請求項１６１〜１８１のいずれか一項に記載の方法。
【請求項１８３】
前記第２の光を発することが、前記第２の光が１，０００ルクス以下の照度でユーザの網膜を照らすように前記第２の光を発することを含む、請求項１６１〜１８２のいずれか一項に記載の方法。
【請求項１８４】
前記第２の光を発することが、前記第２の光が５００ルクス以下の照度でユーザの網膜を照らすように前記第２の光を発することを含む、請求項１６１〜１８３のいずれか一項に記載の方法。
【請求項１８５】
前記第２の光を発することが、前記第２の光が１００ルクス以下の照度でユーザの網膜を照らすように前記第２の光を発することを含む、請求項１６１〜１８４のいずれか一項に記載の方法。
【請求項１８６】
前記第２の光を発することが、前記第２の光が５０ルクス以下の照度でユーザの網膜を照らすように前記第２の光を発することを含む、請求項１６１〜１８５のいずれか一項に記載の方法。
【請求項１８７】
前記第２の光を発することが、前記第２の光が１０ルクス以下の照度でユーザの網膜を照らすように前記第２の光を発することを含む、請求項１６１〜１８６のいずれか一項に記載の方法。
【請求項１８８】
前記第２の光を発することが、前記第２の光が１ルクス以下の照度でユーザの網膜を照らすように前記第２の光を発することを含む、請求項１６１〜１８７のいずれか一項に記載の方法。
【請求項１８９】
前記第１の光束が、ゼロよりも大きい最小値に周期的に達する、請求項１６１〜１８８のいずれか一項に記載の方法。
【請求項１９０】
前記第１の光束が、ゼロに等しい最小値に周期的に達する、請求項１６１〜１８８のいずれか一項に記載の方法。
【請求項１９１】
４００ｎｍ〜４４０ｎｍの範囲内のピーク波長を有する光を発するように構成された複数の光源。
【請求項１９２】
前記複数の光源が１つまたは複数の発光ダイオードを備える、請求項１９１に記載の複数の光源。
【請求項１９３】
前記複数の光源が、互いに異なるそれぞれの波長範囲の光を発するように構成される、請求項１９１または１９２に記載の複数の光源。
【請求項１９４】
前記複数の光源が、昼光、黒体または別の照明参照標準と比較した場合に７０を超える演色評価数を有する白色光を集合的に発するように構成される、請求項１９１〜１９３のいずれか一項に記載の複数の光源。
【請求項１９５】
昼光、黒体、または別の照明参照標準と比較した場合に７０を超える演色評価数を有する白色光源であって、４００ｎｍ〜４４０ｎｍの範囲内のピーク波長を有する光を発するように構成される白色光源。
【請求項１９６】
前記装置または光源が、対象者の網膜に光を当てるように構成されたゴーグル、ヘッドバンド、アームウェア、リストウェア、または治療用ウェアラブル装置を含むがそれらに限定されないウェアラブル装置に組み込まれる、請求項１３０〜１５９または１９１〜１９５のいずれか一項に記載の装置または光源。
【請求項１９７】
前記装置または光源が、自動車、飛行機、ヘリコプター、ボート、船、または列車を含むがそれらに限定されない乗り物に組み込まれる、または前記装置が、ダッシュボード、アクセント照明ユニット、客室一般照明ユニット、またはヘッドライトユニットに組み込まれる、請求項１３０〜１５９または１９１〜１９５のいずれか一項に記載の装置または光源。
【請求項１９８】
前記装置または光源が、携帯電話、タブレットコンピュータ、モニタ、またはテレビを含むがそれらに限定されないディスプレイユニットに組み込まれる、請求項１３０〜１５９または１９１〜１９５のいずれか一項に記載の装置または光源。
【請求項１９９】
前記装置または光源が、ランプ、常夜灯、シャンデリア、または頭上照明ユニットを含むがそれらに限定されない照明ユニットに組み込まれる、請求項１３０〜１５９または１９１〜１９５のいずれか一項に記載の装置または光源。
【請求項２００】
請求項１３０〜１４７に記載の装置または光源のいずれかによって実行される請求項１６１〜１９０のいずれか一項に記載の方法であって、前記方法の実行により対象者の概日周期の前送りまたは遅延が引き起こされる、方法。
【請求項２０１】
季節性情動障害（ＳＡＤ）または別の気分障害に苦しむ対象者を治療するために実行される、請求項１３０〜１５９に記載の装置または光源のいずれかによって実行される請求項１６１〜１９０のいずれか一項に記載の方法。
【請求項２０２】
前記季節性情動障害（ＳＡＤ）または他の気分障害がＳＡＤ、うつ病、双極性障害、および気分変調症（ｄｙｓｔｈｅｍｉａ）、癌および心臓病からなる群から選択される、請求項１３０〜１５９に記載の装置または光源のいずれかによって実行される請求項２０１に記載の方法。
【請求項２０３】
光源アセンブリと、
制御システムであって、前記光源アセンブリに、
第１の光束および６８０ナノメートル（ｎｍ）以上７５０ｎｍ以下の第１の波長においてピーク強度を有する第１の光を発することであって、前記第１の光束は可変である、または前記第１の光の発出は１回以上中断される、第１の光を発すること、および
第２の光束および６８０ｎｍ以下の第２の波長においてピーク強度を有する第２の光を発することであって、前記第２の光束は可変である、または前記第２の光の発出は１回以上中断される、第２の光を発すること
を含む機能を実行させるように構成された制御システムと、を備え、
前記第１の光束は、少なくとも前記第２の光束が最大でない時間の間、最大である、
装置。
【請求項２０４】
前記第１の光または前記第２の光が、有限の波長範囲を含む強度スペクトルを有する、請求項２０３に記載の装置。
【請求項２０５】
前記光源アセンブリが、前記第１の光を発するように構成された第１の光源と、前記第２の光を発するように構成された第２の光源とを備える、請求項２０３または２０４に記載の装置。
【請求項２０６】
前記第１の光源または前記第２の光源が、１つまたは複数の発光ダイオード（ＬＥＤ）を備える、請求項２０５に記載の装置。
【請求項２０７】
前記第１の波長が６８０ｎｍ以上６９５ｎｍ以下である、請求項２０３〜２０６のいずれか一項に記載の装置。
【請求項２０８】
前記第１の波長が６９５ｎｍ以上７２０ｎｍ以下である、請求項２０３〜２０７のいずれか一項に記載の装置。
【請求項２０９】
前記第１の波長が７２０ｎｍ以上７５０ｎｍ以下である、請求項２０３〜２０８のいずれか一項に記載の装置。
【請求項２１０】
前記第２の波長が４４０ｎｍ以上５２０ｎｍ以下である、請求項２０３〜２０９のいずれか一項に記載の装置。
【請求項２１１】
前記第２の波長が５２０ｎｍ以上６００ｎｍ以下である、請求項２０３〜２１０のいずれか一項に記載の装置。
【請求項２１２】
前記第２の波長が６００ｎｍ以上６８０ｎｍ以下である、請求項２０３〜２１１のいずれか一項に記載の装置。
【請求項２１３】
前記第１の光束が前記第２の光束と位相を異にする、請求項２０３〜２１２のいずれか一項に記載の装置。
【請求項２１４】
前記第１の光束が方形波、正弦波、のこぎり波、三角波または他のいずれかのデジタルもしくはアナログ波の形をとる、請求項２０３〜２１３のいずれか一項に記載の装置。
【請求項２１５】
前記第２の光束が方形波、正弦波、のこぎり波、三角波または他のいずれかのデジタルもしくはアナログ波の形をとる、請求項２０３〜２１４のいずれか一項に記載の装置。
【請求項２１６】
前記第１の光束および前記第２の光束が、それぞれのデューティサイクルが等しいそれぞれの波の形またはそれぞれのデューティサイクルが等しい他の波形の形をとる、請求項２０３〜２１５のいずれか一項に記載の装置。
【請求項２１７】
前記第１の光束および前記第２の光束が、それぞれのデューティサイクルが等しくないそれぞれの波の形またはそれぞれのデューティサイクルが等しくない他の波形の形をとる、請求項２０３〜２１５のいずれか一項に記載の装置。
【請求項２１８】
前記第１の光束および前記第２の光束が、１００Ｈｚ以下のそれぞれの周波数で周期的である、請求項２０３〜２１７のいずれか一項に記載の装置。
【請求項２１９】
前記第１の光束および前記第２の光束が、５０Ｈｚ以下のそれぞれの周波数で周期的である、請求項２０３〜２１８のいずれか一項に記載の装置。
【請求項２２０】
前記第１の光を発することが、前記第１の光が１０，０００ルクス以下の照度でユーザの網膜を照らすように前記第１の光を発することを含む、請求項２０３〜２１９のいずれか一項に記載の装置。
【請求項２２１】
前記第１の光を発することが、前記第１の光が５，０００ルクス以下の照度でユーザの網膜を照らすように前記第１の光を発することを含む、請求項２０３〜２２０のいずれか一項に記載の装置。
【請求項２２２】
前記第１の光を発することが、前記第１の光が１，０００ルクス以下の照度でユーザの網膜を照らすように前記第１の光を発することを含む、請求項２０３〜２２１のいずれか一項に記載の装置。
【請求項２２３】
前記第１の光を発することが、前記第１の光が５００ルクス以下の照度でユーザの網膜を照らすように前記第１の光を発することを含む、請求項２０３〜２２２のいずれか一項に記載の装置。
【請求項２２４】
前記第１の光を発することが、前記第１の光が１００ルクス以下の照度でユーザの網膜を照らすように前記第１の光を発することを含む、請求項２０３〜２２３のいずれか一項に記載の装置。
【請求項２２５】
前記第１の光を発することが、前記第１の光が５０ルクス以下の照度でユーザの網膜を照らすように前記第１の光を発することを含む、請求項２０３〜２２４のいずれか一項に記載の装置。
【請求項２２６】
前記第１の光を発することが、前記第１の光が１０ルクス以下の照度でユーザの網膜を照らすように前記第１の光を発することを含む、請求項２０３〜２２５のいずれか一項に記載の装置。
【請求項２２７】
前記第１の光を発することが、前記第１の光が１ルクス以下の照度でユーザの網膜を照らすように前記第１の光を発することを含む、請求項２０３〜２２６のいずれか一項に記載の装置。
【請求項２２８】
前記第２の光を発することが、前記第２の光が１０，０００ルクス以下の照度でユーザの網膜を照らすように前記第２の光を発することを含む、請求項２０３〜２２７のいずれか一項に記載の装置。
【請求項２２９】
前記第２の光を発することが、前記第２の光が５，０００ルクス以下の照度でユーザの網膜を照らすように前記第２の光を発することを含む、請求項２０３〜２２８のいずれか一項に記載の装置。
【請求項２３０】
前記第２の光を発することが、前記第２の光が１，０００ルクス以下の照度でユーザの網膜を照らすように前記第２の光を発することを含む、請求項２０３〜２２９のいずれか一項に記載の装置。
【請求項２３１】
前記第２の光を発することが、前記第２の光が５００ルクス以下の照度でユーザの網膜を照らすように前記第２の光を発することを含む、請求項２０３〜２３０のいずれか一項に記載の装置。
【請求項２３２】
前記第２の光を発することが、前記第２の光が１００ルクス以下の照度でユーザの網膜を照らすように前記第２の光を発することを含む、請求項２０３〜２３１のいずれか一項に記載の装置。
【請求項２３３】
前記第２の光を発することが、前記第２の光が５０ルクス以下の照度でユーザの網膜を照らすように前記第２の光を発することを含む、請求項２０３〜２３２のいずれか一項に記載の装置。
【請求項２３４】
前記第２の光を発することが、前記第２の光が１０ルクス以下の照度でユーザの網膜を照らすように前記第２の光を発することを含む、請求項２０３〜２３３のいずれか一項に記載の装置。
【請求項２３５】
前記第２の光を発することが、前記第２の光が１ルクス以下の照度でユーザの網膜を照らすように前記第２の光を発することを含む、請求項２０３〜２３４のいずれか一項に記載の装置。
【請求項２３６】
前記第１の光のパワースペクトル密度の少なくとも５０％、少なくとも６０％、少なくとも７０％、少なくとも８０％、少なくとも９０％または少なくとも９５％が、６８０ｎｍ〜６９５ｎｍの範囲内の波長に対応する、請求項２０３〜２３５のいずれか一項に記載の装置。
【請求項２３７】
前記第１の光のパワースペクトル密度の少なくとも５０％、少なくとも６０％、少なくとも７０％、少なくとも８０％、少なくとも９０％または少なくとも９５％が、６９５ｎｍ〜７２０ｎｍの範囲内の波長に対応する、請求項２０３〜２３５のいずれか一項に記載の装置。
【請求項２３８】
前記第１の光のパワースペクトル密度の少なくとも５０％、少なくとも６０％、少なくとも７０％、少なくとも８０％、少なくとも９０％または少なくとも９５％が、７２０ｎｍ〜７５０ｎｍの範囲内の波長に対応する、請求項２０３〜２３５のいずれか一項に記載の装置。
【請求項２３９】
前記第２の光のパワースペクトル密度の少なくとも５０％、少なくとも６０％、少なくとも７０％、少なくとも８０％、少なくとも９０％または少なくとも９５％が、４４０ｎｍ〜６８０ｎｍの範囲内の波長に対応する、請求項２０３〜２３８のいずれか一項に記載の装置。
【請求項２４０】
前記第２の光のパワースペクトル密度の少なくとも５０％、少なくとも６０％、少なくとも７０％、少なくとも８０％、少なくとも９０％または少なくとも９５％が、４４０ｎｍ〜５２０ｎｍの範囲内の波長に対応する、請求項２０３〜２３８のいずれか一項に記載の装置。
【請求項２４１】
前記第２の光のパワースペクトル密度の少なくとも５０％、少なくとも６０％、少なくとも７０％、少なくとも８０％、少なくとも９０％または少なくとも９５％が、５２０ｎｍ〜６００ｎｍの範囲内の波長に対応する、請求項２０３〜２３８のいずれか一項に記載の装置。
【請求項２４２】
前記第２の光のパワースペクトル密度の少なくとも５０％、少なくとも６０％、少なくとも７０％、少なくとも８０％、少なくとも９０％または少なくとも９５％が、６００ｎｍ〜６８０ｎｍの範囲内の波長に対応する、請求項２０３〜２３８のいずれか一項に記載の装置。
【請求項２４３】
前記第１の光束が、ゼロよりも大きい最小値に周期的に達する、請求項２０３〜２４２のいずれか一項に記載の装置。
【請求項２４４】
前記第１の光束が、ゼロに等しい最小値に周期的に達する、請求項２０３〜２４２のいずれか一項に記載の装置。
【請求項２４５】
前記第２の光束が、ゼロよりも大きい最小値に周期的に達する、請求項２０３〜２４４のいずれか一項に記載の装置。
【請求項２４６】
前記第２の光束が、ゼロに等しい最小値に周期的に達する、請求項２０３〜２４４のいずれか一項に記載の装置。
【請求項２４７】
請求項２０３〜２４６のいずれか一項に記載の制御システム。
【請求項２４８】
光源アセンブリを介して、第１の光束および６８０ナノメートル（ｎｍ）以上７５０ｎｍ以下の第１の波長においてピーク強度を有する第１の光を発することであって、前記第１の光束は可変である、または前記第１の光の発出は１回以上中断される、第１の光を発すること、および
前記光源アセンブリを介して、第２の光束および６８０ｎｍ以下の第２の波長においてピーク強度を有する第２の光を発することであって、前記第２の光束は可変である、または前記第２の光の発出は１回以上中断される、第２の光を発することを含み、
前記第１の光束は、少なくとも前記第２の光束が最大でない時間の間、最大である、
方法。
【請求項２４９】
前記光源アセンブリが請求項２０３〜２４７のいずれか一項に記載の装置の一部である、請求項２４８に記載の方法。
【請求項２５０】
前記第１の光または前記第２の光が、有限の波長範囲を含む強度スペクトルを有する、請求項２４８または２４９に記載の方法。
【請求項２５１】
前記光源アセンブリが、前記第１の光を発するように構成された第１の光源と、前記第２の光を発するように構成された第２の光源とを備える、請求項２４８〜２５０のいずれか一項に記載の方法。
【請求項２５２】
前記第１の光源または前記第２の光源が、１つまたは複数の発光ダイオード（ＬＥＤ）を備える、請求項２５１に記載の方法。
【請求項２５３】
前記第１の波長が６８０ｎｍ以上６９５ｎｍ以下である、請求項２４８〜２５２のいずれか一項に記載の方法。
【請求項２５４】
前記第１の波長が６９５ｎｍ以上７２０ｎｍ以下である、請求項２４８〜２５３のいずれか一項に記載の方法。
【請求項２５５】
前記第１の波長が７２０ｎｍ以上７５０ｎｍ以下である、請求項２４８〜２５４のいずれか一項に記載の方法。
【請求項２５６】
前記第２の波長が４４０ｎｍ以上５２０ｎｍ以下である、請求項２４８〜２５５のいずれか一項に記載の方法。
【請求項２５７】
前記第２の波長が５２０ｎｍ以上６００ｎｍ以下である、請求項２４８〜２５６のいずれか一項に記載の方法。
【請求項２５８】
前記第２の波長が６００ｎｍ以上６８０ｎｍ以下である、請求項２４８〜２５７のいずれか一項に記載の方法。
【請求項２５９】
前記第１の光束が前記第２の光束と位相を異にする、請求項２４８〜２５８のいずれか一項に記載の方法。
【請求項２６０】
前記第１の光束が方形波、正弦波、のこぎり波、三角波または他のいずれかのデジタルもしくはアナログ波の形をとる、請求項２４８〜２５９のいずれか一項に記載の方法。
【請求項２６１】
前記第２の光束が方形波、正弦波、のこぎり波、三角波または他のいずれかのデジタルもしくはアナログ波の形をとる、請求項２４８〜２６０のいずれか一項に記載の方法。
【請求項２６２】
前記第１の光束および前記第２の光束が、それぞれのデューティサイクルが等しいそれぞれの波の形またはそれぞれのデューティサイクルが等しい他の波形の形をとる、請求項２４８〜２６１のいずれか一項に記載の方法。
【請求項２６３】
前記第１の光束および前記第２の光束が、それぞれのデューティサイクルが等しくないそれぞれの波の形またはそれぞれのデューティサイクルが等しくない他の波形の形をとる、請求項２４８〜２６１のいずれか一項に記載の方法。
【請求項２６４】
前記第１の光束および前記第２の光束が、１００Ｈｚ以下のそれぞれの周波数で周期的である、請求項２４８〜２６３のいずれか一項に記載の方法。
【請求項２６５】
前記第１の光束および前記第２の光束が、５０Ｈｚ以下のそれぞれの周波数で周期的である、請求項２４８〜２６４のいずれか一項に記載の方法。
【請求項２６６】
前記第１の光を発することが、前記第１の光が１０，０００ルクス以下の照度でユーザの網膜を照らすように前記第１の光を発することを含む、請求項２４８〜２６５のいずれか一項に記載の方法。
【請求項２６７】
前記第１の光を発することが、前記第１の光が５，０００ルクス以下の照度でユーザの網膜を照らすように前記第１の光を発することを含む、請求項２４８〜２６６のいずれか一項に記載の方法。
【請求項２６８】
前記第１の光を発することが、前記第１の光が１，０００ルクス以下の照度でユーザの網膜を照らすように前記第１の光を発することを含む、請求項２４８〜２６７のいずれか一項に記載の方法。
【請求項２６９】
前記第１の光を発することが、前記第１の光が５００ルクス以下の照度でユーザの網膜を照らすように前記第１の光を発することを含む、請求項２４８〜２６８のいずれか一項に記載の方法。
【請求項２７０】
前記第１の光を発することが、前記第１の光が１００ルクス以下の照度でユーザの網膜を照らすように前記第１の光を発することを含む、請求項２４８〜２６９のいずれか一項に記載の方法。
【請求項２７１】
前記第１の光を発することが、前記第１の光が５０ルクス以下の照度でユーザの網膜を照らすように前記第１の光を発することを含む、請求項２４８〜２７０のいずれか一項に記載の方法。
【請求項２７２】
前記第１の光を発することが、前記第１の光が１０ルクス以下の照度でユーザの網膜を照らすように前記第１の光を発することを含む、請求項２４８〜２７１のいずれか一項に記載の方法。
【請求項２７３】
前記第１の光を発することが、前記第１の光が１ルクス以下の照度でユーザの網膜を照らすように前記第１の光を発することを含む、請求項２４８〜２７２のいずれか一項に記載の方法。
【請求項２７４】
前記第２の光を発することが、前記第２の光が１０，０００ルクス以下の照度でユーザの網膜を照らすように前記第２の光を発することを含む、請求項２４８〜２７３のいずれか一項に記載の方法。
【請求項２７５】
前記第２の光を発することが、前記第２の光が５，０００ルクス以下の照度でユーザの網膜を照らすように前記第２の光を発することを含む、請求項２４８〜２７４のいずれか一項に記載の方法。
【請求項２７６】
前記第２の光を発することが、前記第２の光が１，０００ルクス以下の照度でユーザの網膜を照らすように前記第２の光を発することを含む、請求項２４８〜２７５のいずれか一項に記載の方法。
【請求項２７７】
前記第２の光を発することが、前記第２の光が５００ルクス以下の照度でユーザの網膜を照らすように前記第２の光を発することを含む、請求項２４８〜２７６のいずれか一項に記載の方法。
【請求項２７８】
前記第２の光を発することが、前記第２の光が１００ルクス以下の照度でユーザの網膜を照らすように前記第２の光を発することを含む、請求項２４８〜２７７のいずれか一項に記載の方法。
【請求項２７９】
前記第２の光を発することが、前記第２の光が５０ルクス以下の照度でユーザの網膜を照らすように前記第２の光を発することを含む、請求項２４８〜２７８のいずれか一項に記載の方法。
【請求項２８０】
前記第２の光を発することが、前記第２の光が１０ルクス以下の照度でユーザの網膜を照らすように前記第２の光を発することを含む、請求項２４８〜２７９のいずれか一項に記載の方法。
【請求項２８１】
前記第２の光を発することが、前記第２の光が１ルクス以下の照度でユーザの網膜を照らすように前記第２の光を発することを含む、請求項２４８〜２８０のいずれか一項に記載の方法。
【請求項２８２】
前記第１の光のパワースペクトル密度の少なくとも５０％、少なくとも６０％、少なくとも７０％、少なくとも８０％、少なくとも９０％または少なくとも９５％が、６８０ｎｍ〜６９５ｎｍの範囲内の波長に対応する、請求項２４８〜２８１のいずれか一項に記載の方法。
【請求項２８３】
前記第１の光のパワースペクトル密度の少なくとも５０％、少なくとも６０％、少なくとも７０％、少なくとも８０％、少なくとも９０％または少なくとも９５％が、６９５ｎｍ〜７２０ｎｍの範囲内の波長に対応する、請求項２４８〜２８１のいずれか一項に記載の方法。
【請求項２８４】
前記第１の光のパワースペクトル密度の少なくとも５０％、少なくとも６０％、少なくとも７０％、少なくとも８０％、少なくとも９０％または少なくとも９５％が、７２０ｎｍ〜７５０ｎｍの範囲内の波長に対応する、請求項２４８〜２８１のいずれか一項に記載の方法。
【請求項２８５】
前記第２の光のパワースペクトル密度の少なくとも５０％、少なくとも６０％、少なくとも７０％、少なくとも８０％、少なくとも９０％または少なくとも９５％が、４４０ｎｍ〜６８０ｎｍの範囲内の波長に対応する、請求項２４８〜２８４のいずれか一項に記載の方法。
【請求項２８６】
前記第２の光のパワースペクトル密度の少なくとも５０％、少なくとも６０％、少なくとも７０％、少なくとも８０％、少なくとも９０％または少なくとも９５％が、４４０ｎｍ〜５２０ｎｍの範囲内の波長に対応する、請求項２４８〜２８４のいずれか一項に記載の方法。
【請求項２８７】
前記第２の光のパワースペクトル密度の少なくとも５０％、少なくとも６０％、少なくとも７０％、少なくとも８０％、少なくとも９０％または少なくとも９５％が、５２０ｎｍ〜６００ｎｍの範囲内の波長に対応する、請求項２４８〜２８４のいずれか一項に記載の方法。
【請求項２８８】
前記第２の光のパワースペクトル密度の少なくとも５０％、少なくとも６０％、少なくとも７０％、少なくとも８０％、少なくとも９０％または少なくとも９５％が、６００ｎｍ〜６８０ｎｍの範囲内の波長に対応する、請求項２４８〜２８４のいずれか一項に記載の方法。
【請求項２８９】
前記第１の光束が、ゼロよりも大きい最小値に周期的に達する、請求項２４８〜２８８のいずれか一項に記載の方法。
【請求項２９０】
前記第１の光束が、ゼロに等しい最小値に周期的に達する、請求項２４８〜２８９のいずれか一項に記載の方法。
【請求項２９１】
前記第２の光束が、ゼロよりも大きい最小値に周期的に達する、請求項２４８〜２９０のいずれか一項に記載の方法。
【請求項２９２】
前記第２の光束が、ゼロに等しい最小値に周期的に達する、請求項２４８〜２９１のいずれか一項に記載の方法。
【請求項２９３】
前記第１の光がユーザの眼瞼を貫通する、請求項２４８〜２９２のいずれか一項に記載の方法。
【請求項２９４】
前記光源アセンブリが１０ルクス未満の周囲光を有する環境で操作される、請求項２４８〜２９３のいずれか一項に記載の方法。
【請求項２９５】
光源アセンブリと、
制御システムであって、前記光源アセンブリに、
第１の光束および４００ナノメートル（ｎｍ）以上４４０ｎｍ以下の第１の波長においてピーク強度を有する第１の光を発することであって、前記第１の光束は可変である、または前記第１の光の発出は１回以上中断される、第１の光を発すること、および
第２の光束および４４０ｎｍ以上の第２の波長においてピーク強度を有する第２の光を発することであって、前記第２の光束は可変である、または前記第２の光の発出は１回以上中断される、第２の光を発すること
を含む機能を実行させるように構成された制御システムと、を備え、
前記第１の光束は、少なくとも前記第２の光束が最大でない時間の間、最大である、
装置。
【請求項２９６】
前記第１の光または前記第２の光が、有限の波長範囲を含む強度スペクトルを有する、請求項２９５に記載の装置。
【請求項２９７】
前記光源アセンブリが、前記第１の光を発するように構成された第１の光源と、前記第２の光を発するように構成された第２の光源とを備える、請求項２９５または２９６に記載の装置。
【請求項２９８】
前記第１の光源または前記第２の光源が、１つまたは複数の発光ダイオード（ＬＥＤ）を備える、請求項２９７に記載の装置。
【請求項２９９】
前記第１の波長が４００ｎｍ以上４１５ｎｍ以下である、請求項２９５〜２９８のいずれか一項に記載の装置。
【請求項３００】
前記第１の波長が４１５ｎｍ以上４３０ｎｍ以下である、請求項２９５〜２９８のいずれか一項に記載の装置。
【請求項３０１】
前記第１の波長が４３０ｎｍ以上４４０ｎｍ以下である、請求項２９５〜２９８のいずれか一項に記載の装置。
【請求項３０２】
前記第２の波長が４４０ｎｍ以上５２０ｎｍ以下である、請求項２９５〜３０１のいずれか一項に記載の装置。
【請求項３０３】
前記第２の波長が５２０ｎｍ以上６００ｎｍ以下である、請求項２９５〜３０１のいずれか一項に記載の装置。
【請求項３０４】
前記第２の波長が６００ｎｍ以上６８０ｎｍ以下である、請求項２９５〜３０１のいずれか一項に記載の装置。
【請求項３０５】
前記第１の光束が前記第２の光束と位相を異にする、請求項２９５〜３０４のいずれか一項に記載の装置。
【請求項３０６】
前記第１の光束が方形波、正弦波、のこぎり波、三角波または他のいずれかのデジタルもしくはアナログ波の形をとる、請求項２９５〜３０５のいずれか一項に記載の装置。
【請求項３０７】
前記第２の光束が方形波、正弦波、のこぎり波、三角波または他のいずれかのデジタルもしくはアナログ波の形をとる、請求項２９５〜３０６のいずれか一項に記載の装置。
【請求項３０８】
前記第１の光束および前記第２の光束が、それぞれのデューティサイクルが等しいそれぞれの波の形またはそれぞれのデューティサイクルが等しい他の波形の形をとる、請求項２９５〜３０７のいずれか一項に記載の装置。
【請求項３０９】
前記第１の光束および前記第２の光束が、それぞれのデューティサイクルが等しくないそれぞれの波の形またはそれぞれのデューティサイクルが等しくない他の波形の形をとる、請求項２９５〜３０７のいずれか一項に記載の装置。
【請求項３１０】
前記第１の光束および前記第２の光束が、１００Ｈｚ以下のそれぞれの周波数で周期的である、請求項２９５〜３０９のいずれか一項に記載の装置。
【請求項３１１】
前記第１の光束および前記第２の光束が、５０Ｈｚ以下のそれぞれの周波数で周期的である、請求項２９５〜３１０のいずれか一項に記載の装置。
【請求項３１２】
前記第１の光を発することが、前記第１の光が１０，０００ルクス以下の照度でユーザの網膜を照らすように前記第１の光を発することを含む、請求項２９５〜３１１のいずれか一項に記載の装置。
【請求項３１３】
前記第１の光を発することが、前記第１の光が５，０００ルクス以下の照度でユーザの網膜を照らすように前記第１の光を発することを含む、請求項２９５〜３１２のいずれか一項に記載の装置。
【請求項３１４】
前記第１の光を発することが、前記第１の光が１，０００ルクス以下の照度でユーザの網膜を照らすように前記第１の光を発することを含む、請求項２９５〜３１３のいずれか一項に記載の装置。
【請求項３１５】
前記第１の光を発することが、前記第１の光が５００ルクス以下の照度でユーザの網膜を照らすように前記第１の光を発することを含む、請求項２９５〜３１４のいずれか一項に記載の装置。
【請求項３１６】
前記第１の光を発することが、前記第１の光が１００ルクス以下の照度でユーザの網膜を照らすように前記第１の光を発することを含む、請求項２９５〜３１５のいずれか一項に記載の装置。
【請求項３１７】
前記第１の光を発することが、前記第１の光が５０ルクス以下の照度でユーザの網膜を照らすように前記第１の光を発することを含む、請求項２９５〜３１６のいずれか一項に記載の装置。
【請求項３１８】
前記第１の光を発することが、前記第１の光が１０ルクス以下の照度でユーザの網膜を照らすように前記第１の光を発することを含む、請求項２９５〜３１７のいずれか一項に記載の装置。
【請求項３１９】
前記第１の光を発することが、前記第１の光が１ルクス以下の照度でユーザの網膜を照らすように前記第１の光を発することを含む、請求項２９５〜３１８のいずれか一項に記載の装置。
【請求項３２０】
前記第２の光を発することが、前記第２の光が１０，０００ルクス以下の照度でユーザの網膜を照らすように前記第２の光を発することを含む、請求項２９５〜３１９のいずれか一項に記載の装置。
【請求項３２１】
前記第２の光を発することが、前記第２の光が５，０００ルクス以下の照度でユーザの網膜を照らすように前記第２の光を発することを含む、請求項２９５〜３２０のいずれか一項に記載の装置。
【請求項３２２】
前記第２の光を発することが、前記第２の光が１，０００ルクス以下の照度でユーザの網膜を照らすように前記第２の光を発することを含む、請求項２９５〜３２１のいずれか一項に記載の装置。
【請求項３２３】
前記第２の光を発することが、前記第２の光が５００ルクス以下の照度でユーザの網膜を照らすように前記第２の光を発することを含む、請求項２９５〜３２２のいずれか一項に記載の装置。
【請求項３２４】
前記第２の光を発することが、前記第２の光が１００ルクス以下の照度でユーザの網膜を照らすように前記第２の光を発することを含む、請求項２９５〜３２３のいずれか一項に記載の装置。
【請求項３２５】
前記第２の光を発することが、前記第２の光が５０ルクス以下の照度でユーザの網膜を照らすように前記第２の光を発することを含む、請求項２９５〜３２４のいずれか一項に記載の装置。
【請求項３２６】
前記第２の光を発することが、前記第２の光が１０ルクス以下の照度でユーザの網膜を照らすように前記第２の光を発することを含む、請求項２９５〜３２５のいずれか一項に記載の装置。
【請求項３２７】
前記第２の光を発することが、前記第２の光が１ルクス以下の照度でユーザの網膜を照らすように前記第２の光を発することを含む、請求項２９５〜３２６のいずれか一項に記載の装置。
【請求項３２８】
前記第１の光のパワースペクトル密度の少なくとも５０％、少なくとも６０％、少なくとも７０％、少なくとも８０％、少なくとも９０％または少なくとも９５％が、４００ｎｍ〜４１５ｎｍの範囲内の波長に対応する、請求項２９５〜３２７のいずれか一項に記載の装置。
【請求項３２９】
前記第１の光のパワースペクトル密度の少なくとも５０％、少なくとも６０％、少なくとも７０％、少なくとも８０％、少なくとも９０％または少なくとも９５％が、４１５ｎｍ〜４３０ｎｍの範囲内の波長に対応する、請求項２９５〜３２７のいずれか一項に記載の装置。
【請求項３３０】
前記第１の光のパワースペクトル密度の少なくとも５０％、少なくとも６０％、少なくとも７０％、少なくとも８０％、少なくとも９０％または少なくとも９５％が、４３０ｎｍ〜４４０ｎｍの範囲内の波長に対応する、請求項２９５〜３２７のいずれか一項に記載の装置。
【請求項３３１】
前記第２の光のパワースペクトル密度の少なくとも５０％、少なくとも６０％、少なくとも７０％、少なくとも８０％、少なくとも９０％または少なくとも９５％が、４４０ｎｍ〜５２０ｎｍの範囲内の波長に対応する、請求項２９５〜３３０のいずれか一項に記載の装置。
【請求項３３２】
前記第２の光のパワースペクトル密度の少なくとも５０％、少なくとも６０％、少なくとも７０％、少なくとも８０％、少なくとも９０％または少なくとも９５％が、５２０ｎｍ〜６００ｎｍの範囲内の波長に対応する、請求項２９５〜３３０のいずれか一項に記載の装置。
【請求項３３３】
前記第２の光のパワースペクトル密度の少なくとも５０％、少なくとも６０％、少なくとも７０％、少なくとも８０％、少なくとも９０％または少なくとも９５％が、６００ｎｍ〜６８０ｎｍの範囲内の波長に対応する、請求項２９５〜３３０のいずれか一項に記載の装置。
【請求項３３４】
前記第１の光束が、ゼロよりも大きい最小値に周期的に達する、請求項２９５〜３３３のいずれか一項に記載の装置。
【請求項３３５】
前記第１の光束が、ゼロに等しい最小値に周期的に達する、請求項２９５〜３３３のいずれか一項に記載の装置。
【請求項３３６】
前記第２の光束が、ゼロよりも大きい最小値に周期的に達する、請求項２９５〜３３５のいずれか一項に記載の装置。
【請求項３３７】
前記第２の光束が、ゼロに等しい最小値に周期的に達する、請求項２９５〜３３５のいずれか一項に記載の装置。
【請求項３３８】
前記第２の光が、昼光、黒体または別の照明参照標準と比較した場合に７０を超える演色評価数を有する、請求項２９５〜３３７のいずれか一項に記載の装置。
【請求項３３９】
請求項２９５〜３３８のいずれか一項に記載の制御システム。
【請求項３４０】
光源アセンブリを介して、第１の光束および４００ナノメートル（ｎｍ）以上４４０ｎｍ以下の第１の波長においてピーク強度を有する第１の光を発することであって、前記第１の光束は可変である、または前記第１の光の発出は１回以上中断される、第１の光を発すること、および
前記光源アセンブリを介して、第２の光束および４４０ｎｍ以上の第２の波長においてピーク強度を有する第２の光を発することであって、前記第２の光束は可変である、または前記第２の光の発出は１回以上中断される、第２の光を発することを含み、
前記第１の光束は、少なくとも前記第２の光束が最大でない時間の間、最大である、
方法。
【請求項３４１】
前記光源アセンブリが請求項２９５〜３３８のいずれか一項に記載の装置の一部である、請求項３４０に記載の方法。
【請求項３４２】
前記第１の光または前記第２の光が、有限の波長範囲を含む強度スペクトルを有する、請求項３４０または３４１に記載の方法。
【請求項３４３】
前記光源アセンブリが、前記第１の光を発するように構成された第１の光源と、前記第２の光を発するように構成された第２の光源とを備える、請求項３４０〜３４２のいずれか一項に記載の方法。
【請求項３４４】
前記第１の光源または前記第２の光源が、１つまたは複数の発光ダイオード（ＬＥＤ）を備える、請求項３４３に記載の方法。
【請求項３４５】
前記第１の波長が４００ｎｍ以上４１５ｎｍ以下である、請求項３４０〜３４４のいずれか一項に記載の方法。
【請求項３４６】
前記第１の波長が４１５ｎｍ以上４３０ｎｍ以下である、請求項３４０〜３４４のいずれか一項に記載の方法。
【請求項３４７】
前記第１の波長が４３０ｎｍ以上４４０ｎｍ以下である、請求項３４０〜３４４のいずれか一項に記載の方法。
【請求項３４８】
前記第２の波長が４４０ｎｍ以上５２０ｎｍ以下である、請求項３４０〜３４５のいずれか一項に記載の方法。
【請求項３４９】
前記第２の波長が５２０ｎｍ以上６００ｎｍ以下である、請求項３４０〜３４５のいずれか一項に記載の方法。
【請求項３５０】
前記第２の波長が６００ｎｍ以上６８０ｎｍ以下である、請求項３４０〜３４５のいずれか一項に記載の方法。
【請求項３５１】
前記第１の光束が  だけ前記第２の光束と位相を異にする、請求項３４０〜３５０のいずれか一項に記載の方法。
【請求項３５２】
前記第１の光束が方形波、正弦波、のこぎり波、三角波または他のいずれかのデジタルもしくはアナログ波の形をとる、請求項３４０〜３５１のいずれか一項に記載の方法。
【請求項３５３】
前記第２の光束が方形波、正弦波、のこぎり波、三角波または他のいずれかのデジタルもしくはアナログ波の形をとる、請求項３４０〜３５２のいずれか一項に記載の方法。
【請求項３５４】
前記第１の光束および前記第２の光束が、それぞれのデューティサイクルが等しいそれぞれの波の形またはそれぞれのデューティサイクルが等しい他の波形の形をとる、請求項３４０〜３５３のいずれか一項に記載の方法。
【請求項３５５】
前記第１の光束および前記第２の光束が、それぞれのデューティサイクルが等しくないそれぞれの波の形またはそれぞれのデューティサイクルが等しくない他の波形の形をとる、請求項３４０〜３５３のいずれか一項に記載の方法。
【請求項３５６】
前記第１の光束および前記第２の光束が、１００Ｈｚ以下のそれぞれの周波数で周期的である、請求項３４０〜３５５のいずれか一項に記載の方法。
【請求項３５７】
前記第１の光束および前記第２の光束が、５０Ｈｚ以下のそれぞれの周波数で周期的である、請求項３４０〜３５６のいずれか一項に記載の方法。
【請求項３５８】
前記第１の光を発することが、前記第１の光が１０，０００ルクス以下の照度でユーザの網膜を照らすように前記第１の光を発することを含む、請求項３４０〜３５７のいずれか一項に記載の方法。
【請求項３５９】
前記第１の光を発することが、前記第１の光が５，０００ルクス以下の照度でユーザの網膜を照らすように前記第１の光を発することを含む、請求項３４０〜３５８のいずれか一項に記載の方法。
【請求項３６０】
前記第１の光を発することが、前記第１の光が１，０００ルクス以下の照度でユーザの網膜を照らすように前記第１の光を発することを含む、請求項３４０〜３５９のいずれか一項に記載の方法。
【請求項３６１】
前記第１の光を発することが、前記第１の光が５００ルクス以下の照度でユーザの網膜を照らすように前記第１の光を発することを含む、請求項３４０〜３６０のいずれか一項に記載の方法。
【請求項３６２】
前記第１の光を発することが、前記第１の光が１００ルクス以下の照度でユーザの網膜を照らすように前記第１の光を発することを含む、請求項３４０〜３６１のいずれか一項に記載の方法。
【請求項３６３】
前記第１の光を発することが、前記第１の光が５０ルクス以下の照度でユーザの網膜を照らすように前記第１の光を発することを含む、請求項３４０〜３６２のいずれか一項に記載の方法。
【請求項３６４】
前記第１の光を発することが、前記第１の光が１０ルクス以下の照度でユーザの網膜を照らすように前記第１の光を発することを含む、請求項３４０〜３６３のいずれか一項に記載の方法。
【請求項３６５】
前記第１の光を発することが、前記第１の光が１ルクス以下の照度でユーザの網膜を照らすように前記第１の光を発することを含む、請求項３４０〜３６４のいずれか一項に記載の方法。
【請求項３６６】
前記第２の光を発することが、前記第２の光が１０，０００ルクス以下の照度でユーザの網膜を照らすように前記第２の光を発することを含む、請求項３４０〜３６５のいずれか一項に記載の方法。
【請求項３６７】
前記第２の光を発することが、前記第２の光が５，０００ルクス以下の照度でユーザの網膜を照らすように前記第２の光を発することを含む、請求項３４０〜３６６のいずれか一項に記載の方法。
【請求項３６８】
前記第２の光を発することが、前記第２の光が１，０００ルクス以下の照度でユーザの網膜を照らすように前記第２の光を発することを含む、請求項３４０〜３６７のいずれか一項に記載の方法。
【請求項３６９】
前記第２の光を発することが、前記第２の光が５００ルクス以下の照度でユーザの網膜を照らすように前記第２の光を発することを含む、請求項３４０〜３６８のいずれか一項に記載の方法。
【請求項３７０】
前記第２の光を発することが、前記第２の光が１００ルクス以下の照度でユーザの網膜を照らすように前記第２の光を発することを含む、請求項３４０〜３６９のいずれか一項に記載の方法。
【請求項３７１】
前記第２の光を発することが、前記第２の光が５０ルクス以下の照度でユーザの網膜を照らすように前記第２の光を発することを含む、請求項３４０〜３７０のいずれか一項に記載の方法。
【請求項３７２】
前記第２の光を発することが、前記第２の光が１０ルクス以下の照度でユーザの網膜を照らすように前記第２の光を発することを含む、請求項３４０〜３７１のいずれか一項に記載の方法。
【請求項３７３】
前記第２の光を発することが、前記第２の光が１ルクス以下の照度でユーザの網膜を照らすように前記第２の光を発することを含む、請求項３４０〜３７２のいずれか一項に記載の方法。
【請求項３７４】
前記第１の光のパワースペクトル密度の少なくとも５０％、少なくとも６０％、少なくとも７０％、少なくとも８０％、少なくとも９０％または少なくとも９５％が、４００ｎｍ〜４１５ｎｍの範囲内の波長に対応する、請求項３４０〜３７３のいずれか一項に記載の方法。
【請求項３７５】
前記第１の光のパワースペクトル密度の少なくとも５０％、少なくとも６０％、少なくとも７０％、少なくとも８０％、少なくとも９０％または少なくとも９５％が、４１５ｎｍ〜４３０ｎｍの範囲内の波長に対応する、請求項３４０〜３７３のいずれか一項に記載の方法。
【請求項３７６】
前記第１の光のパワースペクトル密度の少なくとも５０％、少なくとも６０％、少なくとも７０％、少なくとも８０％、少なくとも９０％または少なくとも９５％が、４３０ｎｍ〜４４０ｎｍの範囲内の波長に対応する、請求項３４０〜３７３のいずれか一項に記載の方法。
【請求項３７７】
前記第２の光のパワースペクトル密度の少なくとも５０％、少なくとも６０％、少なくとも７０％、少なくとも８０％、少なくとも９０％または少なくとも９５％が、４４０ｎｍ〜５２０ｎｍの範囲内の波長に対応する、請求項３４０〜３７６のいずれか一項に記載の方法。
【請求項３７８】
前記第２の光のパワースペクトル密度の少なくとも５０％、少なくとも６０％、少なくとも７０％、少なくとも８０％、少なくとも９０％または少なくとも９５％が、５２０ｎｍ〜６００ｎｍの範囲内の波長に対応する、請求項３４０〜３７６のいずれか一項に記載の方法。
【請求項３７９】
前記第２の光のパワースペクトル密度の少なくとも５０％、少なくとも６０％、少なくとも７０％、少なくとも８０％、少なくとも９０％または少なくとも９５％が、６００ｎｍ〜６８０ｎｍの範囲内の波長に対応する、請求項３４０〜３７６のいずれか一項に記載の方法。
【請求項３８０】
前記第１の光束が、ゼロよりも大きい最小値に周期的に達する、請求項３４０〜３７９のいずれか一項に記載の方法。
【請求項３８１】
前記第１の光束が、ゼロに等しい最小値に周期的に達する、請求項３４０〜３７９のいずれか一項に記載の方法。
【請求項３８２】
前記第２の光束が、ゼロよりも大きい最小値に周期的に達する、請求項３４０〜３８１のいずれか一項に記載の方法。
【請求項３８３】
前記第２の光束が、ゼロに等しい最小値に周期的に達する、請求項３４０〜３８１のいずれか一項に記載の方法。
【請求項３８４】
前記第２の光が、昼光、黒体、または別の照明参照標準と比較した場合に７０を超える演色評価数を有する、請求項３４０〜３８３のいずれか一項に記載の方法。
【請求項３８５】
４００ｎｍ〜４４０ｎｍの範囲内のピーク強度を有する第１の光を発するように構成された１つまたは複数の第１の発光ダイオード（ＬＥＤ）と、
４４０ｎｍを超えるピーク強度を有する第２の光を発するように構成された１つまたは複数の第２のＬＥＤと、を備え、組み合わされた前記第１の光と前記第２の光は４００ｎｍ〜４４０ｎｍの範囲内の波長でピーク強度を有する、光源。
【請求項３８６】
前記第２の光が、昼光、黒体、または別の照明参照標準と比較した場合に７０を超える演色評価数を有する、請求項３８５に記載の光源。
【請求項３８７】
前記第１の光のパワースペクトル密度の少なくとも５０％、少なくとも６０％、少なくとも７０％、少なくとも８０％、少なくとも９０％または少なくとも９５％が、４００ｎｍ〜４４０ｎｍの範囲内の波長に対応する、請求項３８５または３８６に記載の光源。
【請求項３８８】
前記第１の光のパワースペクトル密度の少なくとも５０％、少なくとも６０％、少なくとも７０％、少なくとも８０％、少なくとも９０％または少なくとも９５％が、４００ｎｍ〜４１０ｎｍの範囲内の波長に対応する、請求項３８５〜３８７のいずれか一項に記載の光源。
【請求項３８９】
前記第１の光のパワースペクトル密度の少なくとも５０％、少なくとも６０％、少なくとも７０％、少なくとも８０％、少なくとも９０％または少なくとも９５％が、４１０ｎｍ〜４２０ｎｍの範囲内の波長に対応する、請求項３８５〜３８７のいずれか一項に記載の光源。
【請求項３９０】
前記第１の光のパワースペクトル密度の少なくとも５０％、少なくとも６０％、少なくとも７０％、少なくとも８０％、少なくとも９０％または少なくとも９５％が、４２０ｎｍ〜４３０ｎｍの範囲内の波長に対応する、請求項３８５〜３８７のいずれか一項に記載の光源。
【請求項３９１】
前記第１の光のパワースペクトル密度の少なくとも５０％、少なくとも６０％、少なくとも７０％、少なくとも８０％、少なくとも９０％または少なくとも９５％が、４３０ｎｍ〜４４０ｎｍの範囲内の波長に対応する、請求項３８５〜３８７のいずれか一項に記載の光源。
【請求項３９２】
光源の１つまたは複数の第１の発光ダイオード（ＬＥＤ）を介して、４００ｎｍ〜４４０ｎｍの範囲内のピーク強度を有する第１の光を発すること、および
前記光源の１つまたは複数の第２のＬＥＤを介して、４４０ｎｍを超えるピーク強度を有する第２の光を発することを含み、組み合わされた前記第１の光と前記第２の光は４００ｎｍ〜４４０ｎｍの範囲内の波長でピーク強度を有する方法。
【請求項３９３】
前記第２の光が、昼光、黒体、または別の照明参照標準と比較した場合に７０を超える演色評価数を有する、請求項３９２に記載の方法。
【請求項３９４】
前記第１の光のパワースペクトル密度の少なくとも５０％、少なくとも６０％、少なくとも７０％、少なくとも８０％、少なくとも９０％または少なくとも９５％が、４００ｎｍ〜４４０ｎｍの範囲内の波長に対応する、請求項３９２または３９３に記載の方法。
【請求項３９５】
前記第１の光のパワースペクトル密度の少なくとも５０％、少なくとも６０％、少なくとも７０％、少なくとも８０％、少なくとも９０％または少なくとも９５％が、４００ｎｍ〜４１０ｎｍの範囲内の波長に対応する、請求項３９２または３９３に記載の方法。
【請求項３９６】
前記第１の光のパワースペクトル密度の少なくとも５０％、少なくとも６０％、少なくとも７０％、少なくとも８０％、少なくとも９０％または少なくとも９５％が、４１０ｎｍ〜４２０ｎｍの範囲内の波長に対応する、請求項３９２または３９３に記載の方法。
【請求項３９７】
前記第１の光のパワースペクトル密度の少なくとも５０％、少なくとも６０％、少なくとも７０％、少なくとも８０％、少なくとも９０％または少なくとも９５％が、４２０ｎｍ〜４３０ｎｍの範囲内の波長に対応する、請求項３９２または３９３に記載の方法。
【請求項３９８】
前記第１の光のパワースペクトル密度の少なくとも５０％、少なくとも６０％、少なくとも７０％、少なくとも８０％、少なくとも９０％または少なくとも９５％が、４３０ｎｍ〜４４０ｎｍの範囲内の波長に対応する、請求項３９２または３９３に記載の方法。
【請求項３９９】
前記装置または光源が、対象者の網膜に光を当てるように構成されたゴーグル、ヘッドバンド、アームウェア、リストウェア、または治療用ウェアラブル装置を含むがそれらに限定されないウェアラブル装置に組み込まれる、請求項２０３〜２４６または２９５〜３３８のいずれか一項に記載の装置または光源。
【請求項４００】
前記装置または光源が、自動車、飛行機、ヘリコプター、ボート、船、または列車を含むがそれらに限定されない乗り物に組み込まれる、または前記装置が、ダッシュボード、アクセント照明ユニット、客室一般照明ユニット、またはヘッドライトユニットに組み込まれる、請求項３８５〜３９１のいずれか一項に記載の光源。
【請求項４０１】
前記装置または光源が、携帯電話、タブレットコンピュータ、モニタ、またはテレビを含むがそれらに限定されないディスプレイユニットに組み込まれる、請求項３８５〜３９１のいずれか一項に記載の装置または光源。
【請求項４０２】
前記装置または光源が、ランプ、常夜灯、シャンデリア、または頭上照明ユニットを含むがそれらに限定されない照明ユニットに組み込まれる、請求項３８５〜３９１のいずれか一項に記載の装置または光源。
【請求項４０３】
請求項１〜４５、９３〜９６、または９８〜１２２に記載の装置または光源のいずれかによって実行される請求項４７〜９２または９７のいずれか一項に記載の方法であって、前記方法の実行によって対象者の概日リズムを混乱させない、方法。
【請求項４０４】
季節性情動障害（ＳＡＤ）または別の気分障害に苦しむ対象者を治療するために実行される、請求項２０３〜２４６または２９５〜３３８に記載の装置または光源のいずれかによって実行される請求項２４８〜２９４または３４０〜３８４のいずれか一項に記載の方法。
【請求項４０５】
前記季節性情動障害（ＳＡＤ）または他の気分障害がＳＡＤ、うつ病、双極性障害、および気分変調症（ｄｙｓｔｈｅｍｉａ）、癌および心臓病からなる群から選択される、請求項２０３〜２４６または２９５〜３３８に記載の装置または光源のいずれかによって実行される請求項４０４に記載の方法。
【発明の詳細な説明】
【技術分野】
【０００１】
関連出願の相互参照
本出願は、２０１７年５月１８日に出願された米国仮特許出願第６２／５０８，２８６号の利益を主張し、および２０１７年８月１６日に出願された米国仮特許出願第６２／５４６，４７５号の利益を主張し、その両方の内容は参照により完全な形で本明細書に組み込まれる。
【背景技術】
【０００２】
本明細書で特に明記しない限り、このセクションで記載する材料は本出願の特許請求の範囲に対する先行技術ではなく、このセクションに含めることにより先行技術であると承認されるわけではない。
【０００３】
時差ぼけや非伝統的な勤務シフトへの調整などの理由で、人の概日リズムまたは「睡眠サイクル」を変更することは有用かもしれない。人の概日リズムは、主に脳の視床下部内の小さな領域である視交叉上核（ＳＣＮ）によって支配されている。人の概日リズムを変更するこれまでの方法は、一般に、網膜内の網膜神経節細胞の約１％を構成する本質的に感光性の網膜神経節細胞（ｉｐＲＧＣ）内の光感受性タンパク質メラノプシンの直接刺激を伴う。青色光（例えば、約４８０ナノメートルのピーク波長）で網膜を照らすと、人のｉｐＲＧＣ内で励起されたメラノプシンが神経経路を介してＳＣＮを刺激し、それによって人の概日リズムが変化する（例えば、疲労の開始を遅らせる）と考えられている。しかしながら、ｉｐＲＧＣの比較的低い感光性、網膜内でのそれらの比較的希薄な存在、および光活性反応の遅さにより、このような方法は、不快であるか痛みを伴うことさえある強度で比較的長時間にわたって網膜を照らすことを望ましくなく伴う場合がある。
【発明の概要】
【０００４】
一例は、光源アセンブリと、光源アセンブリに機能を実行させるように構成された制御システムと、を含む装置を記載する。その機能は、第１の光束および４００ナノメートル（ｎｍ）以上４８０ｎｍ以下の第１の波長においてピーク強度を有する第１の光を発することを含む。第１の光束は可変である、または第１の光の発出は１回以上中断される。その機能は、第２の光束および５００ｎｍ以上６３０ｎｍ以下の第２の波長においてピーク強度を有する第２の光を発することをさらに含む。第２の光束は可変である、または第２の光の発出は１回以上中断される。第１の光束は、少なくとも第２の光束が最大でない時間の間、最大である。
【０００５】
別の例は、光源アセンブリを介して、第１の光束および４００ナノメートル（ｎｍ）以上４８０ｎｍ以下の第１の波長においてピーク強度を有する第１の光を発することを含む方法を記載する。第１の光束は可変である、または第１の光の発出は１回以上中断される。この方法は、光源アセンブリを介して、第２の光束および５００ｎｍ以上６３０ｎｍ以下の第２の波長においてピーク強度を有する第２の光を発することをさらに含む。第２の光束は可変である、または第２の光の発出は１回以上中断される。第１の光束は、少なくとも第２の光束が最大でない時間の間、最大である。
【０００６】
さらに別の例は、昼光、黒体、または別の照明参照標準と比較した場合に７０を超える演色評価数を有する白色光源を記載する。白色光源は、４８０ｎｍ〜５８０ｎｍの範囲内のピーク波長を有する光を発するように構成される。
【０００７】
さらに別の例は、４８０ｎｍ〜５６０ｎｍの範囲内のピーク強度を有する第１の光を発するように構成された１つまたは複数の別個の発光ダイオード（ＬＥＤ）を含む光源を記載する。光源は、昼光、黒体、または別の照明参照標準と比較した場合に７０を超える演色評価数を有する１つまたは複数の白色ＬＥＤをさらに含み、１つまたは複数の白色ＬＥＤは、組み合わされた第１の光と第２の光が４８０ｎｍ〜５８０ｎｍの範囲内の波長でピーク強度を有するように第２の光を発するように構成されている。
【０００８】
さらに別の例は、光源アセンブリと、ある光束および４００ナノメートル（ｎｍ）以上４８０ｎｍ以下の波長においてピーク強度を有する光を光源アセンブリに発出させるように構成された制御システムとを含む装置を記載する。光束は可変である、または光の発出は１回以上中断される。
【０００９】
さらに別の例は、４７０ｎｍ〜５８０ｎｍの範囲内のピーク波長を有する第１の光と、昼光、黒体、または別の照明参照標準と比較した場合に７０を超える演色評価数を有する第２の白色光とを発するように構成された１つまたは複数の光源を記載する。第２の光の光束は、第１の光の光束よりも小さい。
【００１０】
さらに別の例は、６００ｎｍ〜７００ｎｍの範囲内のピーク波長を有する第１の光と、昼光、黒体、または別の照明参照標準と比較した場合に７０を超える演色評価数を有する第２の白色光とを発するように構成された１つまたは複数の光源を記載する。第２の光の光束は、第１の光の光束よりも小さい。
【００１１】
さらに別の例は、昼光、黒体、または別の照明参照標準と比較した場合に７０を超える演色評価数を有する第１の光を発するように構成された１つまたは複数の光源と、１つまたは複数の光源によって照射されると、第１の光と第２の光が組み合わされて４７０ｎｍ〜５８０ｎｍの範囲内の波長でピーク強度を有するように第２の光を発する１つまたは複数の蛍光体とを含む装置を記載する。
【００１２】
さらに別の例は、光源アセンブリと、光源アセンブリに機能を実行させるように構成された制御システムとを含む装置を記載する。その機能は、第１の光束および４００ナノメートル（ｎｍ）以上４４０ｎｍ以下の第１の波長においてピーク強度を有する第１の光を発することを含む。第１の光束は可変である、または第１の光の発出は１回以上中断される。その機能は、第２の光束を有しかつ２５００ケルビン以上６０００ケルビン以下の色相関温度を有する第２の光を発することをさらに含む。第２の光束は可変である、または第２の光の発出は１回以上中断され、第２の光は昼光、黒体、または別の照明参照標準と比較した場合に７０を超える演色評価数を有する。第１の光束は、少なくとも第２の光束が最大でない時間の間、最大である。
【００１３】
さらに別の例は、光源アセンブリを介して、第１の光束および４００ナノメートル（ｎｍ）以上４４０ｎｍ以下の第１の波長においてピーク強度を有する第１の光を発することを含む方法を記載する。第１の光束は可変である、または第１の光の発出は１回以上中断される。この方法は、光源アセンブリを介して、第２の光束および２５００ケルビン以上６０００ケルビン以下の色相関温度を有する第２の光を発することをさらに含む。第２の光束は可変である、または第２の光の発出は１回以上中断される。第２の光は昼光、黒体、または別の照明参照標準と比較した場合に７０を超える演色評価数を有する。第１の光束は、少なくとも第２の光束が最大でない時間の間、最大である。
【００１４】
さらに別の例は、４００ｎｍ〜４４０ｎｍの範囲内のピーク波長を有する光を発するように構成された複数の光源を記載する。
【００１５】
さらに別の例は、昼光、黒体、または別の照明参照標準と比較した場合に７０を超える演色評価数を有する白色光源を記載する。白色光源は、４００ｎｍ〜４４０ｎｍの範囲内のピーク波長を有する光を発するように構成される。
【００１６】
さらに別の例は、光源アセンブリと、制御システムであって、第１の光束および６８０ナノメートル（ｎｍ）以上７５０ｎｍ以下の第１の波長においてピーク強度を有する第１の光を発することであって、第１の光束は可変である、または第１の光の発出は１回以上中断される、第１の光を発すること、および、第２の光束および６８０ｎｍ以下の第２の波長においてピーク強度を有する第２の光を発することであって、第２の光束は可変である、または第２の光の発出は１回以上中断される、第２の光を発することを含む機能を光源アセンブリに実行させるように構成された制御システムと、を含む装置を記載し、ここで第１の光束は、少なくとも第２の光束が最大でない時間の間、最大である。
【００１７】
さらに別の例は、光源アセンブリを介して、第１の光束および６８０ナノメートル（ｎｍ）以上７５０ｎｍ以下の第１の波長においてピーク強度を有する第１の光を発することであって、第１の光束は可変である、または第１の光の発出は１回以上中断される、第１の光を発すること、および、光源アセンブリを介して、第２の光束および６８０ｎｍ以下の第２の波長においてピーク強度を有する第２の光を発することであって、第２の光束は可変である、または第２の光の発出は１回以上中断される、第２の光を発することを含む方法を記載し、ここで第１の光束は、少なくとも第２の光束が最大でない時間の間、最大である。
【００１８】
さらに別の例は、光源アセンブリと、制御システムであって、第１の光束および４００ナノメートル（ｎｍ）以上４４０ｎｍ以下の第１の波長においてピーク強度を有する第１の光を発することであって、第１の光束は可変である、または第１の光の発出は１回以上中断される、第１の光を発すること、および、第２の光束および４４０ｎｍ以上の第２の波長においてピーク強度を有する第２の光を発することであって、第２の光束は可変である、または第２の光の発出は１回以上中断される、第２の光を発することを含む機能を光源アセンブリに実行させるように構成された制御システムと、を含む装置を記載し、ここで第１の光束は、少なくとも第２の光束が最大でない時間の間、最大である。
【００１９】
さらに別の例は、光源アセンブリを介して、第１の光束および４００ナノメートル（ｎｍ）以上４４０ｎｍ以下の第１の波長においてピーク強度を有する第１の光を発することであって、第１の光束は可変である、または第１の光の発出は１回以上中断される、第１の光を発すること、および、光源アセンブリを介して、第２の光束および４４０ｎｍ以上の第２の波長においてピーク強度を有する第２の光を発することであって、第２の光束は可変である、または第２の光の発出は１回以上中断される、第２の光を発することを含む方法を記載し、ここで第１の光束は、少なくとも第２の光束が最大でない時間の間、最大である。
【００２０】
さらに別の例は、４００ｎｍ〜４４０ｎｍの範囲内のピーク強度を有する第１の光を発するように構成された１つまたは複数の第１の発光ダイオード（ＬＥＤ）と、４４０ｎｍを超えるピーク強度を有する第２の光を発するように構成された１つまたは複数の第２のＬＥＤとを含む光源であって、組み合わされた第１の光と第２の光は４００ｎｍ〜４４０ｎｍの範囲内の波長でピーク強度を有する光源を含む。
【００２１】
さらに別の例は、光源の１つまたは複数の第１の発光ダイオード（ＬＥＤ）を介して、４００ｎｍ〜４４０ｎｍの範囲内のピーク強度を有する第１の光を発すること、および光源の１つまたは複数の第２のＬＥＤを介して、４４０ｎｍを超えるピーク強度を有する第２の光を発することを含む方法であって、組み合わされた第１の光と第２の光は４００ｎｍ〜４４０ｎｍの範囲内の波長でピーク強度を有する方法を記載する。
【００２２】
これらおよび他の態様、利点、および代替形態は、適切な場合に添付図面を参照して以下の詳細な記載を読むことにより当業者に明らかになるであろう。さらに、本明細書で提供されるこの概要および他の記載および図は、例としてのみ本発明を説明することを意図しており、したがって、多数の変形が可能であることを理解されたい。
【図面の簡単な説明】
【００２３】
【図１】例示的な実施形態による照明装置の概略図である。
【図２】例示的な実施形態による方法のブロック図である。
【図３】Ｓ型錐体の励起に対する本質的に感光性の網膜神経節細胞（ｉｐＲＧＣ）の応答を示す。
【図４】Ｌ型および／またはＭ型錐体の励起に対するｉｐＲＧＣ応答を示す。
【図５】様々なタイプの上流神経節細胞の励起に対するｉｐＲＧＣ応答を示す。
【図６】眼の中の４種類の神経節細胞の感応性曲線を含む。
【図７】一日の様々な時間における網膜照射を介した概日リズムの操作を示す。
【図８】概日リズムの前送りを示す。
【図９】概日リズムの遅延を示す。
【図１０】光源の例示的な強度曲線を示す。
【図１１】様々なタイプの光源の例示的な強度曲線を示す。
【図１２】例示的な実施形態による方法のブロック図である。
【図１３】例示的な実施形態による方法のブロック図である。
【図１４】例示的な実施形態による方法のブロック図である。
【図１５】例示的な実施形態による方法のブロック図である。
【発明を実施するための形態】
【００２４】
上述のように、本質的に感光性の網膜神経節細胞（ｉｐＲＧＣ）内のメラノプシンの直接刺激を介して概日リズムを変更する現在の方法は、しばしば不便で、不快で、および／または幾分効果がない。したがって、概日リズムを変更するための改善された装置および方法が、本明細書に開示されている。
【００２５】
本発明者らは、眼内のＳ錐体、Ｍ錐体、およびＬ錐体を刺激し、これにより神経経路に沿って錐体の下流にあるｉｐＲＧＣの間接刺激を引き起こすことを介して、概日リズムをより便利かつ効率的に変更できることを認識した。従来の方法では、メラノプシンの光活性を最適化するためにｉｐＲＧＣを青色光（例えば、λ約４８０ｎｍ）で照らす必要があったが、本明細書に開示される方法では、約４２０〜４４０ｎｍで最大の感光性を有するＳ錐体を、約５３４〜５４５ｎｍで最大の感光性を有するＭ錐体を、および／または約５６４〜５８０ｎｍで最大の感光性を有するＬ錐体を刺激するように最適化された波長で網膜を照らすことを一般に必要とする。
【００２６】
より具体的には、本発明者らは、網膜内に密に存在しかつｉｐＲＧＣと比較した場合により高い感光性を有する錐体の刺激が、ｉｐＲＧＣ自体の直接刺激よりもｉｐＲＧＣのより強い励起を引き起こし得ることを認識した。このｉｐＲＧＣの増大した励起は、視交叉上核（ＳＣＮ）の刺激の増大を引き起こし、概日リズムの大きな変化を引き起こす。
【００２７】
特に、本発明者らは、ｉｐＲＧＣが錐体の照度の急激な増加および減少に最も反応することを認識した。例えば、ｉｐＲＧＣの活性（および結果として生じる下流ＳＣＮの活性）は、Ｍ錐体（例えば緑色光）およびＬ錐体（例えば赤色光）による光吸収の急激な増加、およびＳ錐体（例えば紫色光）による光吸収の急激な減少に応答して最大化される。
【００２８】
図１は、光源アセンブリ１０２および制御システム１０４を含む（照明）装置１００を示す。いくつかの例では、光源アセンブリ１０２は、発光ダイオード（ＬＥＤ）、白熱電球、またはハロゲン電球などの１つまたは複数の光源を含み得るが、他の例も可能である。
【００２９】
制御システム１０４は、光源アセンブリ１０２および／または装置１００に本明細書に記載の機能のいずれかを実行させるように構成されたソフトウェアおよび／またはハードウェアの任意の組み合わせの形態をとってもよい。例えば、制御システム１０４は、１つまたは複数のブール回路、プログラマブルロジックコントローラ（ＰＬＣ）、および／または本明細書に記載の機能のいずれかを実行するために光源アセンブリ１０２に電力および／または制御信号を提供するように構成された専用回路を含み得る。さらに、制御システム１０４は、１つまたは複数のプロセッサと、プロセッサによって実行されると、光源アセンブリ１０２および／または装置１００に本明細書に記載の機能のいずれかを実行させる命令を格納するコンピュータ可読媒体とを含み得る。制御システム１０４は、信号発生器をさらに含み得る。
【００３０】
様々な例において、装置１００は、対象者の網膜に光を当てるように構成されたウェアラブル装置、ゴーグル、ヘッドバンド、アームウェア、リストウェア、または治療用ウェアラブル装置に組み込まれてもよい、またはそれらの形態を取ってもよい。いくつかの例では、装置１００は、自動車、飛行機、ヘリコプター、ボート、船、または列車などの乗り物に組み込まれる。装置１００は、ダッシュボード、アクセント照明ユニット、客室一般照明ユニット、またはヘッドライトユニットに組み込むこともできる。様々な例において、装置１００は、携帯電話、タブレットコンピュータ、モニタ、またはテレビなどのディスプレイユニットに組み込まれる。装置１００は、ランプ、常夜灯、シャンデリア、または頭上照明ユニットなどの照明ユニットに組み込むこともできる。
【００３１】
いくつかの実施形態では、装置１００は、昼光、黒体、または別の照明参照標準と比較した場合に７０を超える演色評価数を有する白色光源の形態を取り得、白色光源は、４８０ｎｍ〜５８０ｎｍの範囲内、より具体的には５２０ｎｍ〜５７０ｎｍの範囲内のピーク波長の光を発するように構成されている。
【００３２】
いくつかの実施形態では、装置１００は、４８０ｎｍ〜５６０ｎｍの範囲内のピーク強度を有する第１の光を発するように構成された１つまたは複数の個別発光ダイオード（ＬＥＤ）と、昼光、黒体、または別の照明参照標準と比較した場合に７０を超える演色評価数を有する１つまたは複数の白色ＬＥＤとを含む光源の形態をとり、１つまたは複数の白色ＬＥＤは、第１の光と第２の光の組み合わせが４８０ｎｍ〜５８０ｎｍの範囲内の波長においてピーク強度を有するように第２の光を発するように構成されている。これに関連して、装置１００は、４００ｎｍ〜７８０ｎｍの範囲内の１つまたは複数の波長を有する周囲光の存在下で動作させることができる。これに関連して、第１の光のパワースペクトル密度の少なくとも５０％、少なくとも６０％、少なくとも７０％、少なくとも８０％、少なくとも９０％または少なくとも９５％は、４８０ｎｍ〜５６０ｎｍの範囲内の波長に対応し得る。
【００３３】
本明細書で使用される際「白色光」という用語は、国際照明委員会（ＣＩＥ）Ｒａスケールにより定義される７０を超える演色評価数を有する任意の多色光を指し得る。そのような白色光は、４００〜７００ｎｍの可視スペクトル全体で非ゼロ強度を含み得る。したがって、「白色光源」は、上記のように白色光を生成するように構成された任意の光源を含み得る。本明細書で使用される際「演色評価数」（ＣＲＩ）という用語は、一般に、ＣＩＥ  Ｒａスケールを参照して定義され得る。
【００３４】
いくつかの実施形態では、制御システム１０４は、光源アセンブリ１０２に、ある光束および４００ナノメートル（ｎｍ）以上４８０ｎｍ以下の波長においてピーク強度を有する光を発するように構成され、ここで光束は可変である、または発光は１回以上中断される。より具体的には、ピーク強度は、４１０〜４３０ｎｍ、４１５〜４２５ｎｍ、４１８〜４２２ｎｍ（＋／−２ｎｍの公差を持つ分光光度計で測定）の波長範囲のいずれかの内で発生し得る。このような光束は、方形波、正弦波、のこぎり波、または三角波の形をとり得る。光束は、１００Ｈｚ以下、または５０Ｈｚ以下の周波数で周期的であり得る。これに関連して、光のパワースペクトル密度の少なくとも５０％、少なくとも６０％、少なくとも７０％、少なくとも８０％、少なくとも９０％、または少なくとも９５％が４００ｎｍ〜４８０ｎｍの範囲内の波長に対応し得る。さらに、光束は定期的にゼロ未満またはゼロに等しい最小値に達し得る。
【００３５】
装置１００は、１０，０００ルクス以下、５，０００ルクス以下、１，０００ルクス以下、５００ルクス以下、１００ルクス以下、５０ルクス以下、１０ルクス以下、または１ルクス以下の照度でユーザの網膜を照らすように構成されてもよい。これに関連して、照度はＥｖ＝ΦＶ／（４□π□ｒ２）として定義され、ここで「ｒ」は光源から網膜までの距離、ΦＶは光源の光束である。
【００３６】
別の例では、装置１００は、４７０ｎｍ〜５８０ｎｍの範囲内のピーク波長を有する第１の光；および、昼光、黒体、または別の照明参照標準と比較したときに７０を超える演色評価数を有する第２の白色光を発するように構成された１つまたは複数の光源の形態をとってもよく、第２の光の光束は第１の光の光束よりも小さい。これに関連して、第１の光のパワースペクトル密度の少なくとも５０％、少なくとも６０％、少なくとも７０％、少なくとも８０％、少なくとも９０％または少なくとも９５％は、４７０ｎｍ〜５８０ｎｍの範囲内の波長に対応し得る。
【００３７】
別の例では、装置１００は、６００ｎｍ〜７００ｎｍの範囲内のピーク波長を有する第１の光；および、昼光、黒体、または別の照明参照標準と比較したときに７０を超える演色評価数を有する第２の白色光を発するように構成された１つまたは複数の光源の形態をとってもよく、第２の光の光束は第１の光の光束よりも小さい。これに関連して、第１の光のパワースペクトル密度の少なくとも５０％、少なくとも６０％、少なくとも７０％、少なくとも８０％、少なくとも９０％または少なくとも９５％は、６００ｎｍ〜７００ｎｍの範囲内の波長に対応し得る。
【００３８】
別の例では、装置１００は、昼光、黒体、または別の照明参照標準と比較したときに７０を超える演色評価数を有する第１の光を発するように構成された１つまたは複数の光源；および、１つまたは複数の光源によって照らされると、組み合わされた第１の光と第２の光が４７０ｎｍ〜５８０ｎｍの範囲内の波長でピーク強度を有するように第２の光を発する１つまたは複数の蛍光体の形態をとってもよい。これに関連して、第２の光のパワースペクトル密度の少なくとも５０％、少なくとも６０％、少なくとも７０％、少なくとも８０％、少なくとも９０％または少なくとも９５％は、４７０ｎｍ〜５８０ｎｍの範囲内の波長に対応し得る。
【００３９】
図２は、方法２００のブロック図である。本明細書に開示される方法２００および関連する方法は、様々な目的のために対象者の概日周期の前送りまたは遅延を引き起こすために実行することができる。そのような方法は、季節性情動障害（ＳＡＤ）またはうつ病、双極性障害、または気分変調症などの別の気分障害に苦しむ対象者を治療するために実行することができる。睡眠障害または不規則な睡眠は、癌および／または心臓病に苦しむ人々にも影響を与える可能性があり、これらの方法はそれに応じてそのような効果に対抗するために使用することができる。
【００４０】
ブロック２０２で、この方法は、光源アセンブリを介して、第１の光束および４００ナノメートル（ｎｍ）以上４８０ｎｍ以下の第１の波長においてピーク強度を有する第１の光を発することを含む。言い換えれば、第１の光は、４００ｎｍ以上４８０ｎｍ以下の波長で最も強い（または極大を有する）場合がある。より具体的には、第１の波長は、４１０ｎｍ以上４３０ｎｍ以下、４１５ｎｍ以上４２５ｎｍ以下、または４１８ｎｍ以上４２２ｎｍ以下であり得る。
【００４１】
本開示を通してこの用語が使用されるとき、特定の波長範囲内に「ピーク強度」を有すると定義される光は、その光が言及された波長範囲外のグローバルピーク強度を有し得る可能性を排除するものではない。つまり、「ピーク強度」という用語は、ローカルピーク強度を指し得、さらに、追加または代替として、グローバルピーク強度を指し得る。
【００４２】
これに関連して、第１の光束は可変である、または第１の光の発出は１回以上中断される。例えば、第１の光束は、方形波、正弦波、のこぎり波、三角波、または任意のデジタル波またはアナログ波の形を取り得る。他の例も可能である。
【００４３】
第１の光は、第１の光が１０，０００ルクス以下、５，０００ルクス以下、１，０００ルクス以下、５００ルクス以下、１００ルクス以下、５０ルクス以下、１０ルクス以下、または１ルクス以下の照度でユーザの網膜を照らすように、光源アセンブリ１０２によって発することができる。
【００４４】
一例では、光源アセンブリ１０２は、図３に示すような光束３０２を有する第１の光を発する。光束３０２は、４００ｎｍ以上４８０ｎｍ以下の波長でピーク強度を有する。光束３０２は、高レベルの光束３０４と低レベルの光束３０６との間で振動する方形波の形態をとる。低レベルの光束３０６は、ゼロまたはゼロに近い場合があるが、低レベルの光束３０６は一般に高レベルの光束３０４よりも小さい。４００〜４８０ｎｍの間の波長でピーク強度を有する光束３０２は、主に網膜内のＳ錐体を励起し、下流ｉｐＲＧＣの応答３０８をもたらす。示されるように、応答３０８は、例えば、ｔ＝０で光束３０２が高レベル３０４から低レベル３０６に切り替わった直後に最も頻繁でありかつ強い。しかしながら、応答３０８は、光束３０２が低レベル３０６にあり続ける間、減少した強度および周波数で継続する。Ｓ錐体は、光束３０２が高レベル３０４に切り替わった後、比較的不活性になる。
【００４５】
要するに、４００〜４８０ｎｍの間のピーク強度を有する第１の光の光束の比較的速い負の変化（減少）に応答して、下流ｉｐＲＧＣの高応答強度および高応答周波数が生じる。図３は、方形波の形の光束３０２を示しているが、正弦波、のこぎり波、または三角波などの波形も、４００ｎｍ〜４８０の間のピーク強度を有する光束の比較的速い負の変化を示すことができ、これにより下流ｉｐＲＧＣを効率的に励起する。
【００４６】
特定の実施形態では、第１の光のパワースペクトル密度の少なくとも５０％、少なくとも６０％、少なくとも７０％、少なくとも８０％、少なくとも９０％または少なくとも９５％が、４００ｎｍ〜４２０ｎｍの範囲内の波長に対応する。
【００４７】
特定の実施形態では、第１の光のパワースペクトル密度の少なくとも５０％、少なくとも６０％、少なくとも７０％、少なくとも８０％、少なくとも９０％または少なくとも９５％が、４２０ｎｍ〜４４０ｎｍの範囲内の波長に対応する。
【００４８】
特定の実施形態では、第１の光のパワースペクトル密度の少なくとも５０％、少なくとも６０％、少なくとも７０％、少なくとも８０％、少なくとも９０％または少なくとも９５％が、４４０ｎｍ〜４６０ｎｍの範囲内の波長に対応する。
【００４９】
特定の実施形態では、第１の光のパワースペクトル密度の少なくとも５０％、少なくとも６０％、少なくとも７０％、少なくとも８０％、少なくとも９０％または少なくとも９５％が、４６０ｎｍ〜４８０ｎｍの範囲内の波長に対応する。
【００５０】
特定の実施形態では、第１の光束は、ゼロよりも大きい最小値に周期的に到達する。
【００５１】
特定の実施形態では、第１の光束は、ゼロに等しい最小値に周期的に到達する。ブロック２０４で、方法は、光源アセンブリを介して、第２の光束および５００ｎｍ以上６３０ｎｍ以下の第２の波長においてピーク強度を有する第２の光を発することを含む。換言すると、第２の光は、５００ｎｍ以上６３０ｎｍ以下の波長で最も強い（または極大を有する）場合がある。より具体的には、第２の波長は、５３５ｎｍ以上５６５ｎｍ以下、５４５ｎｍ以上５５５ｎｍ以下、または５４８ｎｍ以上５５２ｎｍ以下であり得る。
【００５２】
これに関連して、第２の光束は可変である、または第２の光の発出は１回以上中断される。例えば、第２の光束は、方形波、正弦波、のこぎり波、三角波、または任意の他のデジタル波またはアナログ波の形を取り得る。他の例も可能である。
【００５３】
第２の光は、第２の光が１０，０００ルクス以下、５，０００ルクス以下、１，０００ルクス以下、５００ルクス以下、１００ルクス以下、５０ルクス以下、１０ルクス以下、または１ルクス以下の照度でユーザの網膜を照らすように、光源アセンブリ１０２によって発することができる。
【００５４】
一例では、光源アセンブリ１０２は、図４に示すような光束４０２を有する第２の光を発する。光束４０２は、５００ｎｍ以上６３０ｎｍ以下の波長でピーク強度を有する。光束４０２は、高レベルの光束４０４と低レベルの光束４０６との間で振動する方形波の形態をとる。低レベルの光束４０６は、ゼロまたはゼロに近い場合があるが、低レベルの光束４０６は一般に高レベルの光束４０４よりも小さい。５００〜６３０ｎｍの間の波長でピーク強度を有する光束４０２は、主に網膜内のＬ錐体およびＭ錐体を励起し、下流ｉｐＲＧＣの応答４０８をもたらす。示されるように、応答４０８は、例えば、ｔ＝０で光束４０２が低レベル４０６から高レベル４０４に切り替わった直後に最も頻繁でありかつ強い。しかしながら、応答４０８は、光束４０２が高レベル４０４にあり続ける間、減少した強度および周波数で継続する。Ｌ錐体およびＭ錐体は、光束４０２が低レベル４０６に切り替わった後、比較的不活性になる。
【００５５】
要するに、５００〜６３０ｎｍの間のピーク強度を有する第２の光の光束の比較的速い正の変化（増加）に応答して、下流ｉｐＲＧＣの高応答強度および高応答周波数が生じる。図４は、方形波の形の光束４０２を示しているが、正弦波、のこぎり波、または三角波などの波形も、５００ｎｍ〜６３０の間のピーク強度を有する光束の比較的速い正の変化を示すことができ、これにより下流ｉｐＲＧＣを効率的に励起する。
【００５６】
方法２００によれば、光源アセンブリ１０２は、第１の光（例えば、光束３０２）を発するように構成された第１の光源と、第２の光（例えば、光束４０２）を発するように構成された第２の光源とを含み得る。
【００５７】
様々な例において、第１の光束（例えば、光束３０２）は、第２の光束（例えば、光束４０２）と１８０度位相がずれている。あまり望ましくはないが、第１光束と第２光束の位相差は０から１８０度までの範囲であり得る。いくつかの実施形態では、第２の光束が最小のとき、第１の光束は最大になる。いくつかの実施形態では、第２の光束が最大のとき、第１の光束は最小になる。
【００５８】
様々な例において、第１の光束（例えば、光束３０２）および第２の光束（例えば、光束４０２）は、それぞれのデューティサイクルが等しいそれぞれの方形波またはそれぞれのデューティサイクルが等しい他の波形の形態をとる。しかしながら、第１の光束および第２の光束はまた、それぞれのデューティサイクルが等しくないそれぞれの方形波またはそれぞれのデューティサイクルが等しくない他の波形の形をとることができる。
【００５９】
様々な例において、第１の光束および第２の光束は、１００Ｈｚ以下のそれぞれの振動周波数で周期的である。第１の光束および第２の光束はまた、５０Ｈｚ以下のそれぞれの振動周波数で周期的であってもよい。眼の中のｉｐＲＧＣは一般に、約１００Ｈｚを超える周波数で振動する光と同期して応答しない。
【００６０】
特定の実施形態では、第２の光のパワースペクトル密度の少なくとも５０％、少なくとも６０％、少なくとも７０％、少なくとも８０％、少なくとも９０％または少なくとも９５％が、５００ｎｍ〜５３０ｎｍの範囲内の波長に対応する。
【００６１】
特定の実施形態では、第１の光のパワースペクトル密度の少なくとも５０％、少なくとも６０％、少なくとも７０％、少なくとも８０％、少なくとも９０％または少なくとも９５％が、５３０ｎｍ〜５６０ｎｍの範囲内の波長に対応する。
【００６２】
特定の実施形態では、第２の光のパワースペクトル密度の少なくとも５０％、少なくとも６０％、少なくとも７０％、少なくとも８０％、少なくとも９０％または少なくとも９５％が、５６０ｎｍ〜５９０ｎｍの範囲内の波長に対応する。
【００６３】
特定の実施形態では、第２の光のパワースペクトル密度の少なくとも５０％、少なくとも６０％、少なくとも７０％、少なくとも８０％、少なくとも９０％または少なくとも９５％が、５９０ｎｍ〜６３０ｎｍの範囲内の波長に対応する。
【００６４】
特定の実施形態では、第２の光束は、ゼロよりも大きい最小値に周期的に到達する。
【００６５】
特定の実施形態では、第２の光束は、ゼロに等しい最小値に周期的に到達する。
【００６６】
図５は、様々なタイプの上流神経節細胞の励起に対するｉｐＲＧＣ応答を示している。示されるように、ｉｐＲＧＣ５１２は、青色光５０２、赤色光５０６、緑色光５０８、およびロッド励起５１０のオンセットによって刺激される。ｉｐＲＧＣ５１２は、紫色光５０４のオフセットによって刺激される。
【００６７】
図６は、眼の中の４種類の神経節細胞の感光性曲線を含む。曲線６０２はＳ錐体を表し、曲線６０４はｉｐＲＧＣのメラノプシン応答を表し、曲線６０６はＭ錐体を表し、曲線６０８はＬ錐体を表す。
【００６８】
図７は、様々な時刻における網膜照射を介した概日リズムの操作を示す。本明細書に開示されている方法は、対象者がその人の概日リズムの中で現在いる時刻および／または時点に依存して異なる効果を有するであろう。伝統的な概日リズムの場合、開示されている方法は一般に、午前中に実行されると概日リズムを前送りさせ、午後遅くまたは夕方に実行されると概日リズムを遅延させる。図８に示すように、概日リズムの「前送り」とは、一般に、より早く眠くなることを意味する。図９に示すように、概日リズムの「遅延」とは一般に、より遅く眠くなることを意味する。
【００６９】
図１０は、定常状態の「白色」光源の例示的な強度曲線を示している。示されているように、光源は５７０ｎｍ付近でピーク強度を有する。
【００７０】
図１１は、様々なタイプの光源の例示的な強度曲線を示している。曲線７０２は「温かい」白色光源であり、曲線７０４は「中間」白色光源であり、曲線７０６は「冷たい」白色光源である。曲線７０８は、他の曲線とは対照的に、５５０ｎｍ付近で最大強度を示す。同様の光源は、５２０から５７０ｎｍまでのいずれかの波長で最大になる場合がある。
【００７１】
図１２は、方法１２００のブロック図である。本明細書に開示される方法１２００および関連する方法は、様々な目的のために対象者の概日周期の前送りまたは遅延を引き起こすために実行することができる。そのような方法は、季節性情動障害（ＳＡＤ）またはうつ病、双極性障害、または気分変調症などの別の気分障害に苦しむ対象者を治療するために実行することができる。睡眠障害または不規則な睡眠は、癌および／または心臓病に苦しむ人々にも影響を与える可能性があり、これらの方法はそれに応じてそのような効果に対抗するために使用することができる。方法１２００は例えば装置１００を用いて実行することができる。
【００７２】
ブロック１２０２で、この方法１２００は、光源アセンブリを介して、第１の光束および４００ナノメートル（ｎｍ）以上４４０ｎｍ以下の第１の波長においてピーク強度を有する第１の光を発することを含む。第１の光束は可変である、または第１の光の発出は１回以上中断される。例えば、光源アセンブリ１０２は、方法２００のブロック２０２またはブロック２０４に関して上述した任意の方法で第１の光を発出し得る。
【００７３】
ブロック１２０４において、方法１２００は、光源アセンブリを介して、第２の光束を有しかつ２５００ケルビン以上６０００ケルビン以下の色相関温度を有する第２の光を発することを含む。第２の光束は可変である、または第２の光の発出は１回以上中断される。第２の光は、昼光、黒体、または別の照明参照標準と比較すると、７０を超える演色評価数を有する。例えば、光源アセンブリ１０２は、方法２００のブロック２０２またはブロック２０４に関して上述した任意の方法で第２の光を発出し得る。
【００７４】
様々な例において、第１の光および／または第２の光は、有限の波長範囲を含む強度スペクトルを有する。
【００７５】
いくつかの例では、光源アセンブリは、第１の光を発するように構成された第１の光源と、第２の光を発するように構成された第２の光源とを含む。
【００７６】
特定の例では、光源アセンブリは、１つまたは複数の発光ダイオード（ＬＥＤ）を含む。
【００７７】
特定の例では、第１の光束は、第２の光束と１８０度位相がずれている。
【００７８】
いくつかの実施形態では、第２の光束が最小のとき、第１の光束は最大になる。いくつかの実施形態では、第２の光束が最大のとき、第１の光束は最小になる。
【００７９】
いくつかの例では、第１の光束および／または第２の光束は、方形波、正弦波、のこぎり波、または三角波の形をとる。
【００８０】
特定の例では、第１の光束および第２の光束は、等しいまたは等しくないそれぞれのデューティサイクルを有するそれぞれの方形波、あるいは等しいまたは等しくないそれぞれのデューティサイクルを有する他の波形の形をとる。
【００８１】
特定の例では、第１の光束および第２の光束は、１００Ｈｚ以下または５０Ｈｚ以下のそれぞれの周波数で周期的である。
【００８２】
特定の例では、第１の光および／または第２の光を発することは、第１の光および／または第２の光がそれぞれユーザの網膜を１０，０００ルクス以下、５，０００ルクス以下、１，０００ルクス以下、５００ルクス以下、１００ルクス以下、５０ルクス以下、１０ルクス以下、または１ルクス以下の照度で照らすように第１の光および／または第２の光を発することを含む。
【００８３】
特定の実施形態では、第１の光束は、ゼロよりも大きい最小値に周期的に到達する。
【００８４】
特定の実施形態では、第１の光束は、ゼロに等しい最小値に周期的に到達する。
【００８５】
追加の例には、４００ｎｍ〜４４０ｎｍの範囲内のピーク波長を有する光を発するように構成された複数の光源（例えば、発光ダイオード）が含まれる。特定の例において、複数の光源は、互いに異なる（例えば、重なり合うが同一ではない）光の波長のそれぞれの範囲を発するように構成される。加えて、複数の光源は、昼光、黒体、または別の照明参照標準と比較した場合に７０を超える演色評価数を有する白色光を集合的に発するように構成されてもよい。
【００８６】
追加の例には、昼光、黒体、または別の照明参照標準と比較した場合に７０を超える演色評価数を有する白色光源が含まれる。白色光源は、４００ｎｍ〜４４０ｎｍの範囲内のピーク波長を有する光を発するように構成される。
【００８７】
本明細書に記載の装置または光源のいずれも、ゴーグル、ヘッドバンド、アームウェア、リストウェア、または対象者の網膜に光を当てるように構成された治療用ウェアラブル装置を含むがこれらに限定されないウェアラブル装置に組み込むことができる。
【００８８】
本明細書に記載される装置または光源のいずれも、自動車、飛行機、ヘリコプター、ボート、船、または列車を含むがこれらに限定されない乗り物に組み込むことができる。
【００８９】
本明細書に記載の装置または光源のいずれも、ダッシュボード、アクセント照明ユニット、客室一般照明ユニット、またはヘッドライトユニットに組み込むことができる。
【００９０】
本明細書に記載の装置または光源のいずれも、携帯電話、タブレットコンピュータ、モニタ、またはテレビを含むがこれらに限定されないディスプレイユニットに組み込むことができる。
【００９１】
本明細書に記載される装置または光源のいずれも、ランプ、常夜灯、シャンデリア、または頭上照明ユニットを含むがこれらに限定されない照明ユニットに組み込むことができる。
【００９２】
図１３は、方法１３００のブロック図である。本明細書に開示される方法１３００および関連する方法は、様々な目的のために対象者の概日周期の前送りまたは遅延を引き起こすために実行することができる。そのような方法は、季節性情動障害（ＳＡＤ）またはうつ病、双極性障害、または気分変調症などの別の気分障害に苦しむ対象者を治療するために実行することができる。睡眠障害または不規則な睡眠は、癌および／または心臓病に苦しむ人々にも影響を与える可能性があり、これらの方法はそれに応じてそのような効果に対抗するために使用することができる。
【００９３】
ブロック１３０２で、この方法１３００は、光源アセンブリを介して、第１の光束および６８０ナノメートル（ｎｍ）以上７５０ｎｍ以下の第１の波長においてピーク強度を有する第１の光を発することを含む。言い換えれば、第１の光は、６８０ｎｍ以上７５０ｎｍ以下の波長で最も強い（または極大を有する）場合がある。より具体的には、第１の波長は、６８０ｎｍ以上６９５ｎｍ以下、６９５ｎｍ以上７２０ｎｍ以下、または７２０ｎｍ以上７５０ｎｍ以下であり得る。
【００９４】
これに関連して、第１の光束は可変である、または第１の光の発出は１回以上中断される。例えば、第１の光束は、方形波、正弦波、のこぎり波、三角波、または任意の他のデジタル波またはアナログ波の形を取り得る。他の例も可能である。
【００９５】
第１の光は、第１の光が１０，０００ルクス以下、５，０００ルクス以下、１，０００ルクス以下、５００ルクス以下、１００ルクス以下、５０ルクス以下、１０ルクス以下、または１ルクス以下の照度でユーザの網膜を照らすように、光源アセンブリ１０２によって発することができる。
【００９６】
一例では、光源アセンブリ１０２は、図４に示すような光束４０２を有する第１の光を発する。光束４０２は、６８０ｎｍ以上７５０ｎｍ以下の波長でピーク強度を有する。光束４０２は、高レベルの光束４０４と低レベルの光束４０６との間で振動する方形波の形態をとる。低レベルの光束４０６は、ゼロまたはゼロに近い場合があるが、低レベルの光束４０６は一般に高レベルの光束４０４よりも小さい。６８０〜７５０ｎｍの間の波長でピーク強度を有する光束４０２は、主に網膜内のＬ錐体を励起し、下流ｉｐＲＧＣの応答４０８をもたらす。示されるように、応答４０８は、例えば、ｔ＝０で光束４０２が低レベル４０６から高レベル４０４に切り替わった直後に最も頻繁でありかつ強い。しかしながら、応答４０８は、光束４０２が高レベル４０４にあり続ける間、減少した強度および周波数で継続する。Ｌ錐体は、光束４０２が低レベル４０６に切り替わった後、比較的不活性になる。
【００９７】
要するに、６８０〜７５０ｎｍの間のピーク強度を有する第１の光の光束の比較的速い正の変化（増加）に応答して、下流ｉｐＲＧＣの高応答強度および高応答周波数が生じる。図４は、方形波の形の光束４０２を示しているが、正弦波、のこぎり波、または三角波などの波形も、６８０ｎｍ〜７５０の間のピーク強度を有する光束の比較的速い正の変化を示すことができ、これにより下流ｉｐＲＧＣを効率的に励起する。
【００９８】
特定の実施形態では、第１の光のパワースペクトル密度の少なくとも５０％、少なくとも６０％、少なくとも７０％、少なくとも８０％、少なくとも９０％または少なくとも９５％が、６８０ｎｍ〜６９５ｎｍの範囲内の波長に対応する。
【００９９】
特定の実施形態では、第１の光のパワースペクトル密度の少なくとも５０％、少なくとも６０％、少なくとも７０％、少なくとも８０％、少なくとも９０％または少なくとも９５％が、６９５ｎｍ〜７２０ｎｍの範囲内の波長に対応する。
【０１００】
特定の実施形態では、第１の光のパワースペクトル密度の少なくとも５０％、少なくとも６０％、少なくとも７０％、少なくとも８０％、少なくとも９０％または少なくとも９５％が、７２０ｎｍ〜７５０ｎｍの範囲内の波長に対応する。
【０１０１】
特定の実施形態では、第１の光束は、ゼロよりも大きい最小値に周期的に到達する。
【０１０２】
特定の実施形態では、第１の光束は、ゼロに等しい最小値に周期的に到達する。
【０１０３】
ブロック１３０４で、方法１３００は、光源アセンブリを介して、第２の光束および６８０ｎｍ以下の第２の波長においてピーク強度を有する第２の光を発することを含む。換言すると、第２の光は、４４０ｎｍ以上６８０ｎｍ以下の波長で最も強い（または極大を有する）場合がある。より具体的には、第２の波長は、４４０ｎｍ以上５２０ｎｍ以下、５２０ｎｍ以上６００ｎｍ以下、または６００ｎｍ以上６８０ｎｍ以下であり得る。
【０１０４】
これに関連して、第２の光束は可変である、または第２の光の発出は１回以上中断される。例えば、第２の光束は、方形波、正弦波、のこぎり波、三角波、または任意の他のデジタル波またはアナログ波の形を取り得る。他の例も可能である。
【０１０５】
第２の光は、第２の光が１０，０００ルクス以下、５，０００ルクス以下、１，０００ルクス以下、５００ルクス以下、１００ルクス以下、５０ルクス以下、１０ルクス以下、または１ルクス以下の照度でユーザの網膜を照らすように、光源アセンブリ１０２によって発することができる。
【０１０６】
一例では、光源アセンブリ１０２は、図３に示すような光束３０２を有する第２の光を発する。光束３０２は、４４０ｎｍ以上６８０ｎｍ以下の波長でピーク強度を有する。光束３０２は、高レベルの光束３０４と低レベルの光束３０６との間で振動する方形波の形態をとる。低レベルの光束３０６は、ゼロまたはゼロに近い場合があるが、低レベルの光束３０６は一般に高レベルの光束３０４よりも小さい。これに関連して、第２の光の１つの目的は、第１の光に対するコントラストバランスを提供することである。すなわち、６８０〜７５０ｎｍの間のピーク波長を有する第１の光は対象者の概日リズムを前送りまたは遅延するために使用できる一方、第２の光は対象者が光の強度の変化をほとんどまたは全く知覚しないように第１の光に対してバランスを取る。いくつかの例では、第１の光は対象者が眠っている間に対象者の眼瞼を貫通し得る。さらなる例によって、光源アセンブリ１０２は、実質的に周囲光のない（例えば、１０ルクス未満の周囲光を有する）環境において作動され得る。
【０１０７】
方法１３００によれば、光源アセンブリ１０２は、第１の光（例えば、光束４０２）を発するように構成された第１の光源と、第２の光（例えば、光束３０２）を発するように構成された第２の光源とを含み得る。
【０１０８】
様々な例において、第１の光束（例えば、光束４０２）は、第２の光束（例えば、光束３０２）と１８０度位相がずれている。あまり望ましくはないが、第１光束と第２光束の位相差は０から１８０度までの範囲であり得る。
【０１０９】
いくつかの実施形態では、第２の光束が最小のとき、第１の光束は最大になる。いくつかの実施形態では、第２の光束が最大のとき、第１の光束は最小になる。
【０１１０】
様々な例において、第１の光束（例えば、光束４０２）および第２の光束（例えば、光束３０２）は、それぞれのデューティサイクルが等しいそれぞれの方形波またはそれぞれのデューティサイクルが等しい他の波形の形態をとる。しかしながら、第１の光束および第２の光束はまた、それぞれのデューティサイクルが等しくないそれぞれの方形波またはそれぞれのデューティサイクルが等しくない他の波形の形をとることができる。
【０１１１】
様々な例において、第１の光束および第２の光束は、１００Ｈｚ以下のそれぞれの振動周波数で周期的である。第１の光束および第２の光束はまた、５０Ｈｚ以下のそれぞれの振動周波数で周期的であってもよい。
【０１１２】
特定の実施形態では、第２の光のパワースペクトル密度の少なくとも５０％、少なくとも６０％、少なくとも７０％、少なくとも８０％、少なくとも９０％または少なくとも９５％が、４４０ｎｍ〜６８０ｎｍの範囲内の波長に対応する。
【０１１３】
特定の実施形態では、第２の光のパワースペクトル密度の少なくとも５０％、少なくとも６０％、少なくとも７０％、少なくとも８０％、少なくとも９０％または少なくとも９５％が、４４０ｎｍ〜５２０ｎｍの範囲内の波長に対応する。
【０１１４】
特定の実施形態では、第２の光のパワースペクトル密度の少なくとも５０％、少なくとも６０％、少なくとも７０％、少なくとも８０％、少なくとも９０％または少なくとも９５％が、５２０ｎｍ〜６００ｎｍの範囲内の波長に対応する。
【０１１５】
特定の実施形態では、第１の光のパワースペクトル密度の少なくとも５０％、少なくとも６０％、少なくとも７０％、少なくとも８０％、少なくとも９０％または少なくとも９５％が、６００ｎｍ〜６８０ｎｍの範囲内の波長に対応する。
【０１１６】
特定の実施形態では、第２の光束は、ゼロよりも大きい最小値に周期的に到達する。
【０１１７】
特定の実施形態では、第２の光束は、ゼロに等しい最小値に周期的に到達する。
【０１１８】
図１４は、方法１４００のブロック図である。本明細書に開示される方法１４００および関連する方法は、様々な目的のために対象者の概日周期の前送りまたは遅延を引き起こすために実行することができる。そのような方法は、季節性情動障害（ＳＡＤ）またはうつ病、双極性障害、または気分変調症などの別の気分障害に苦しむ対象者を治療するために実行することができる。睡眠障害または不規則な睡眠は、癌および／または心臓病に苦しむ人々にも影響を与える可能性があり、これらの方法はそれに応じてそのような効果に対抗するために使用することができる。
【０１１９】
ブロック１４０２で、この方法１４００は、光源アセンブリを介して、第１の光束および４００ナノメートル（ｎｍ）以上４４０ｎｍ以下の第１の波長においてピーク強度を有する第１の光を発することを含む。言い換えれば、第１の光は、４００ｎｍ以上４４０ｎｍ以下の波長で最も強い（または極大を有する）場合がある。より具体的には、第１の波長は、４００ｎｍ以上４１５ｎｍ以下、４１５ｎｍ以上４３０ｎｍ以下、または４３０ｎｍ以上４４０ｎｍ以下であり得る。
【０１２０】
これに関連して、第１の光束は可変である、または第１の光の発出は１回以上中断される。例えば、第１の光束は、方形波、正弦波、のこぎり波、三角波、または任意の他のデジタル波またはアナログ波の形を取り得る。他の例も可能である。
【０１２１】
第１の光は、第１の光が１０，０００ルクス以下、５，０００ルクス以下、１，０００ルクス以下、５００ルクス以下、１００ルクス以下、５０ルクス以下、１０ルクス以下、または１ルクス以下の照度でユーザの網膜を照らすように、光源アセンブリ１０２によって発することができる。
【０１２２】
一例では、光源アセンブリ１０２は、図３に示すような光束３０２を有する第１の光を発する。光束３０２は、４００ｎｍ以上４４０ｎｍ以下の波長でピーク強度を有する。光束３０２は、高レベルの光束３０４と低レベルの光束３０６との間で振動する方形波の形態をとる。低レベルの光束３０６は、ゼロまたはゼロに近い場合があるが、低レベルの光束３０６は一般に高レベルの光束３０４よりも小さい。４００〜４４０ｎｍの間の波長でピーク強度を有する光束３０２は、主に（例えばターンオフすると）網膜内のＳ錐体を励起し、下流ｉｐＲＧＣの応答３０８をもたらす。示されるように、応答３０８は、例えば、ｔ＝０で光束３０２が高レベル３０４から低レベル３０６に切り替わった直後に最も頻繁でありかつ強い。しかしながら、応答３０８は、光束３０２が低レベル３０６にあり続ける間、減少した強度および周波数で継続する。Ｓ錐体は、光束３０２が高レベル３０４に切り替わった後、比較的不活性になる。
【０１２３】
要するに、４００〜４４０ｎｍの間のピーク強度を有する第１の光の光束の比較的速い負の変化（減少）に応答して、下流ｉｐＲＧＣの高応答強度および高応答周波数が生じる。図３は、方形波の形の光束３０２を示しているが、正弦波、のこぎり波、または三角波などの波形も、４００ｎｍ〜４４０ｎｍの間のピーク強度を有する光束の比較的速い負の変化を示すことができ、これにより下流ｉｐＲＧＣを効率的に励起する。
【０１２４】
特定の実施形態では、第１の光のパワースペクトル密度の少なくとも５０％、少なくとも６０％、少なくとも７０％、少なくとも８０％、少なくとも９０％または少なくとも９５％が、４００ｎｍ〜４１５ｎｍの範囲内の波長に対応する。
【０１２５】
特定の実施形態では、第１の光のパワースペクトル密度の少なくとも５０％、少なくとも６０％、少なくとも７０％、少なくとも８０％、少なくとも９０％または少なくとも９５％が、４１５ｎｍ〜４３０ｎｍの範囲内の波長に対応する。
【０１２６】
特定の実施形態では、第１の光のパワースペクトル密度の少なくとも５０％、少なくとも６０％、少なくとも７０％、少なくとも８０％、少なくとも９０％または少なくとも９５％が、４３０ｎｍ〜４４０ｎｍの範囲内の波長に対応する。
【０１２７】
特定の実施形態では、第１の光束は、ゼロよりも大きい最小値に周期的に到達する。
【０１２８】
特定の実施形態では、第１の光束は、ゼロに等しい最小値に周期的に到達する。
【０１２９】
ブロック１４０４で、方法１４００は、光源アセンブリを介して、第２の光束および４４０ｎｍ以上６８０ｎｍ以下の第２の波長においてピーク強度を有する第２の光を発することを含む。換言すると、第２の光は、４４０ｎｍ以上６８０ｎｍ以下の波長で最も強い（または極大を有する）場合がある。より具体的には、第２の波長は、４４０ｎｍ以上５２０ｎｍ以下、５２０ｎｍ以上６００ｎｍ以下、または６００ｎｍ以上６８０ｎｍ以下であり得る。
【０１３０】
これに関連して、第２の光束は可変である、または第２の光の発出は１回以上中断される。例えば、第２の光束は、方形波、正弦波、のこぎり波、三角波、または任意の他のデジタル波またはアナログ波の形を取り得る。他の例も可能である。
【０１３１】
第２の光は、第２の光が１０，０００ルクス以下、５，０００ルクス以下、１，０００ルクス以下、５００ルクス以下、１００ルクス以下、５０ルクス以下、１０ルクス以下、または１ルクス以下の照度でユーザの網膜を照らすように、光源アセンブリ１０２によって発することができる。
【０１３２】
一例では、光源アセンブリ１０２は、図４に示すような光束４０２を有する第２の光を発する。光束４０２は、４４０ｎｍ以上６８０ｎｍ以下の波長でピーク強度を有する。光束４０２は、高レベルの光束４０４と低レベルの光束４０６との間で振動する方形波の形態をとる。低レベルの光束４０６は、ゼロまたはゼロに近い場合があるが、低レベルの光束４０６は一般に高レベルの光束４０４よりも小さい。これに関連して、第２の光の１つの目的は、第１の光に対するコントラストバランスを提供することである。すなわち、４００〜４４０ｎｍの間のピーク波長を有する第１の光は対象者の概日リズムを前送りまたは遅延するために（例えばウェアラブル装置の一部として）使用できる一方、第２の光は対象者が光の強度の変化をほとんどまたは全く知覚しないように第１の光に対してバランスを取る。
【０１３３】
方法１４００によれば、光源アセンブリ１０２は、第１の光（例えば、光束３０２）を発するように構成された第１の光源と、第２の光（例えば、光束４０２）を発するように構成された第２の光源とを含み得る。
【０１３４】
様々な例において、第１の光束（例えば、光束３０２）は、第２の光束（例えば、光束４０２）と１８０度位相がずれている。あまり望ましくはないが、第１光束と第２光束の位相差は０から１８０度までの範囲であり得る。いくつかの実施形態では、第２の光束が最小のとき、第１の光束は最大になる。いくつかの実施形態では、第２の光束が最大のとき、第１の光束は最小になる。
【０１３５】
様々な例において、第１の光束（例えば、光束３０２）および第２の光束（例えば、光束４０２）は、それぞれのデューティサイクルが等しいそれぞれの方形波またはそれぞれのデューティサイクルが等しい他の波形の形態をとる。しかしながら、第１の光束および第２の光束はまた、それぞれのデューティサイクルが等しくないそれぞれの方形波またはそれぞれのデューティサイクルが等しくない他の波形の形をとることができる。
【０１３６】
様々な例において、第１の光束および第２の光束は、１００Ｈｚ以下のそれぞれの振動周波数で周期的である。第１の光束および第２の光束はまた、５０Ｈｚ以下のそれぞれの振動周波数で周期的であってもよい。
【０１３７】
特定の実施形態では、第２の光のパワースペクトル密度の少なくとも５０％、少なくとも６０％、少なくとも７０％、少なくとも８０％、少なくとも９０％または少なくとも９５％が、４４０ｎｍ〜６８０ｎｍの範囲内の波長に対応する。
【０１３８】
特定の実施形態では、第２の光のパワースペクトル密度の少なくとも５０％、少なくとも６０％、少なくとも７０％、少なくとも８０％、少なくとも９０％または少なくとも９５％が、４４０ｎｍ〜５２０ｎｍの範囲内の波長に対応する。
【０１３９】
特定の実施形態では、第２の光のパワースペクトル密度の少なくとも５０％、少なくとも６０％、少なくとも７０％、少なくとも８０％、少なくとも９０％または少なくとも９５％が、５２０ｎｍ〜６００ｎｍの範囲内の波長に対応する。
【０１４０】
特定の実施形態では、第１の光のパワースペクトル密度の少なくとも５０％、少なくとも６０％、少なくとも７０％、少なくとも８０％、少なくとも９０％または少なくとも９５％が、６００ｎｍ〜６８０ｎｍの範囲内の波長に対応する。
【０１４１】
特定の実施形態では、第２の光束は、ゼロよりも大きい最小値に周期的に到達する。
【０１４２】
特定の実施形態では、第２の光束は、ゼロに等しい最小値に周期的に到達する。
【０１４３】
特定の実施形態では、第２の光は、昼光、黒体、または別の照明参照標準と比較した場合に７０を超える演色評価数を有する。
【０１４４】
図１５は、方法１５００のブロック図である。本明細書で開示される方法１５００および関連する方法は、様々な目的のために対象者の概日周期に対する変化（例えば、時間シフト）を防止するのに役立つために実行することができる。そのような方法は、季節性情動障害（ＳＡＤ）またはうつ病、双極性障害、または気分変調症などの別の気分障害に苦しむ対象者を治療するために実行することができる。睡眠障害または不規則な睡眠は、癌および／または心臓病に苦しむ人々にも影響を与える可能性があり、これらの方法はそれに応じてそのような作用に対抗するために使用することができる。
【０１４５】
ブロック１５０２で、方法１５００は、光源の１つまたは複数の第１の発光ダイオード（ＬＥＤ）を介して、４００ｎｍ〜４４０ｎｍの範囲内のピーク強度を有する第１の光を発することを含む。言い換えれば、第１の光は、４００ｎｍ以上４４０ｎｍ以下の波長で最も強い（または極大値を有する）場合がある。より具体的には、第１の波長は、４００ｎｍ以上４１５ｎｍ以下、４１５ｎｍ以上４３０ｎｍ以下、または４３０ｎｍ以上４４０ｎｍ以下であり得る。
【０１４６】
第１の光を発する１つまたは複数の第１のＬＥＤは、例えば、光源１０２の一部であり得る。
【０１４７】
特定の実施形態では、第１の光のパワースペクトル密度の少なくとも５０％、少なくとも６０％、少なくとも７０％、少なくとも８０％、少なくとも９０％または少なくとも９５％は、４００ｎｍ〜４４０ｎｍの範囲内の波長に対応する。
【０１４８】
特定の実施形態では、第１の光のパワースペクトル密度の少なくとも５０％、少なくとも６０％、少なくとも７０％、少なくとも８０％、少なくとも９０％または少なくとも９５％は、４００ｎｍ〜４１５ｎｍの範囲内の波長に対応する。
【０１４９】
特定の実施形態では、第１の光のパワースペクトル密度の少なくとも５０％、少なくとも６０％、少なくとも７０％、少なくとも８０％、少なくとも９０％または少なくとも９５％は、４１５ｎｍ〜４３０ｎｍの範囲内の波長に対応する。
【０１５０】
特定の実施形態では、第１の光のパワースペクトル密度の少なくとも５０％、少なくとも６０％、少なくとも７０％、少なくとも８０％、少なくとも９０％または少なくとも９５％は、４３０ｎｍ〜４４０ｎｍの範囲内の波長に対応する。
【０１５１】
ブロック１５０４で、方法１５００は、光源の１つまたは複数の第２のＬＥＤを介して、４００ｎｍ〜４４０ｎｍの範囲内のピーク強度を有する第２の光を発することを含む。これに関連して、組み合わされた第１の光と第２の光は、４００ｎｍ〜４４０ｎｍの範囲内の波長でピーク強度を有する。
【０１５２】
特定の実施形態では、第２の光は、昼光、黒体、または別の照明参照標準と比較した場合、７０を超える演色評価数を有する。
【０１５３】
４００〜４４０ｎｍの間のピーク強度を有する（例えば、安定した、振動しない）第１の光は一般に対象者の概日リズムの変化を抑制するので、方法１５００および関連する装置は、街路照明、ダッシュボード照明、アクセント照明、客室一般照明ユニット、またはヘッドライトの文脈で有用であり得る。例えば、第１の光は、時間の経過とともに５〜１０％を超えて変化しない実質的に一定の強度を有し得る。
【０１５４】
追加の例
【０１５５】
以下は、上述の方法およびシステムに関連するさらなる詳細を含む。
【０１５６】
上流の網膜回路を標的とすることにより、ヒトにおける本質的に感光性の網膜神経節細胞活性の有効性を高める方法
【０１５７】
例の中で、光源は、脳内の概日リズム中枢に投影する眼内の本質的に感光性の網膜神経節細胞（ｉｐＲＧＣ）を励起するように一時的にスペクトル的に変調する。特定の波長と光の時間シーケンスが提示され、錐体視細胞内で生じる信号から、非画像形成視覚に関与する脳中枢に投影し、概日リズム、覚醒、睡眠に関連する機能を媒介するｉｐＲＧＣへ、スペクトル的に反対の入力を駆動する。本開示で記載される光刺激は、概日経路に影響を及ぼすことを目的として、単独で提示されるか、周囲光に重ね合わされる。本明細書に開示される方法のいくつかの目的は、低い光強度および特定の波長を使用して、人間の概日活動リズムの内相を同期、前送り、および／または遅延させ、覚醒および睡眠を調節することである。
【０１５８】
開示された方法の目的は、概日リズムの遅延または前送りを引き起こし、個人が概日位相をリセットすることにより概日リズムを同期させるのを助けることである。これにより、時差ぼけを緩和するためのタイムゾーンシフトに対するより良い準備、非伝統的な勤務シフトまたは作業習慣の突然の変更に対する準備、夜遅くまで運転するための警戒の持続、季節性情動障害の治療の提供、大人、子供、および幼児の通常の規則的な睡眠−覚醒サイクルのより良い維持、精神的、感情的、身体的パフォーマンスのピークのより良いタイミング、およびその他の同様の利点が可能になり得る。従来の方法では、明るい（例えば、１０，０００ルクス）定常状態の白、または明るい青（例えば、主波長およそ４８０ｎｍのライト）、天然の光景に一致するように個々に制御可能なＲＧＢプライマリＬＥＤを含む明るい定常状態の光、または特定の波長を含む定常状態のＬＥＤライトを使用する。以前の参考文献は、概日リズムに対するメラトニンレベルの変化の直接的な効果を説明することを目的としている。上流の錐体またはｉｐＲＧＣの調節を介して概日経路を励起すると、体内のメラトニンの生成が抑制されるが、メラトニンは概日位相のマーカに過ぎず、概日リズムに影響を与え得るという証拠はない。したがって、メラトニン産生の間接的な抑制は可能であるが、メラトニンが概日リズムに影響を与えるという主張を支持する証拠はない。
【０１５９】
例には、それらのスペクトル的に反対の応答特性を利用することによりｉｐＲＧＣを刺激するように設計された時間スペクトル光源が含まれる。長波長感受性（Ｌ−）および中波長感受性（Ｍ−）錐体からの入力はｉｐＲＧＣを励起し、短波長感受性（Ｓ−）錐体視細胞からの入力はそれらを抑制する。ＩｐＲＧＣは、Ｌ／Ｍ錐体によって吸収される５００ｎｍ〜６３０ｎｍの波長範囲の光に非常に敏感である。しかしながら、安定したＬ／Ｍ錐体刺激に対するそれらの応答は一時的であるため、Ｓ錐体とＬ／Ｍ錐体を交互に刺激する時間的に変調されたスペクトル的に反対の刺激でｉｐＲＧＣの錐体ベース応答を駆動することが有用な場合がある。Ｓ錐体を刺激する光は、オフセットでｉｐＲＧＣの応答を駆動し、Ｌ／Ｍ錐体を刺激する光は、オンセットでｉｐＲＧＣを駆動する。したがって、Ｓ錐体刺激のオフセットとそれに続くＬ／Ｍ錐体刺激のオンセットを組み合わせた刺激は、低い光強度でｉｐＲＧＣを駆動することができる。交互のＳ錐体およびＬ／Ｍ錐体刺激を生成する光は、ｉｐＲＧＣの強力で連続的な活動を生成することができる。
【０１６０】
次に、ｉｐＲＧＣは、軸索を視交叉上核（ＳＣＮ）、脳の概日時計、前核（ＰＧＮ）、および覚醒および睡眠に関与する他の中枢に送る。錐体により駆動された応答は、ｉｐＲＧＣの固有の感光性によって駆動される応答とは異なる時間特性、スペクトル調整、感度を有するため、開示された方法は、特定の波長（または波長帯域）と時間シーケンスを使用して、それらの固有の光応答を刺激することによりそれらを刺激するのに必要な光レベルよりも１，０００倍も低い光レベルでｉｐＲＧＣ応答を駆動する。上流の錐体視細胞はゲインメカニズムを介してより低い光強度に効果的に応答するため、刺激されたｉｐＲＧＣは、人体内の概日リズムを同期できる強力な信号を脳に送る。
【０１６１】
例には、照明器具、個人用照明装置、または輸送客室ライトなどの用途が含まれる。
【０１６２】
概日リズムは睡眠および覚醒サイクルを支配する内部時計への言及であり、一方、概日リズム性には、睡眠、身体活動、覚醒、ホルモンレベル、体温、免疫機能、および消化活動が含まれる。概日リズムは、体の「マスター時計」として機能する視交叉上核（ＳＣＮ）によって制御される。ＳＣＮは体全体でリズムを同期させ、ＳＣＮ機能が中断または破壊されると概日リズム性が失われる。ＳＣＮは、スレーブオシレーターを同期させることで身体全体の制御を維持する。スレーブオシレーターは２４時間近くのリズムを示し、その後、局所組織の概日現象を制御する。この内部時計と地球ベースの外部２４時間サイクルとの同期は、本明細書において概日同調と呼ばれる。
【０１６３】
視床下部内のＳＣＮが概日リズム性のマスター時計として作用することを考えると、ＳＣＮの上流に接続する細胞は概日同調に関与することになる。改造された逆行性狂犬病ウイルスを使用して実験が行われた。狂犬病ウイルスには、シナプスを逆方向に飛び越え、入力を元に向かって逆方向に辿るという独自の特性がある。このウイルスがＳＣＮに注入されたとき、それはほとんどの入力を辿って網膜へ戻り、睡眠／覚醒サイクルを支配する自然界の特徴として光を暗示した。網膜からＳＣＮへの神経経路は、網膜視床下部路として知られている。
【０１６４】
網膜で特定された特定の網膜細胞は、本質的に感光性の網膜神経節細胞（ｉｐＲＧＣ）と呼ばれる神経節細胞のサブタイプである。ＩｐＲＧＣは、樹状突起を粗く分布させる比較的大きな細胞であり、網膜全体にまばらであるが完全なモザイクを形成する。これらの細胞の独自の特徴は、それらが「本質的に感光性」であることである。これは、桿状体および錐体視細胞で見られるものと同じクラスのタンパク質であるメラノプシンと呼ばれる光感受性タンパク質をそれらが発現するためである。メラノプシンの存在は、ｉｐＲＧＣが他のニューロンからの入力なしで光に直接応答できることを意味する。
【０１６５】
光感受性分子を本質的に発現する神経節細胞の発見は驚くべきことであった。これは、神経節細胞の軸索が目の視神経を形成し、目から脳に信号を伝達する機能を果たしているためである。従来、神経節細胞は、光エネルギーを神経信号に変換するように機能するがそれ自体は光感受性ではない眼の光受容細胞（桿状体および錐体）からの信号を伝達することが知られていた。
【０１６６】
現在まで、網膜視床下部経路を下る信号の生成に関与する製品は、ｉｐＲＧＣ内のメラノプシンの刺激に焦点を合わせてきた。メラノプシンは４８０ｎｍでピークに達し、これは知覚的に青い光である。また、メラノプシンは樹状突起全体にまばらに分布しており、細胞を直接活性化するには大量の光が必要である。しかしながら、メラノプシンの存在にもかかわらず、ｉｐＲＧＣは他の細胞種からの入力を有する。神経節細胞の上流には、桿状体および錐体視細胞と呼ばれる光感受性細胞がある。錐体と桿状体の視細胞は眼の裏側にタイル状に並び、人間の視覚を媒介するのに十分な高密度のモザイクを形成し、錐体と桿状体の両方は、光感受性タンパク質で満たされる長い円筒状の部分が、目に入る光に対して平行である幾何学的な向きで存在し、光と分子の間の相互作用の確率を高める。光の吸収に高度に特化されているので、ｉｐＲＧＣの桿状体および錐体視細胞活性化は、ｉｐＲＧＣを直接刺激する光よりも約１，０００低い光レベルで起こる。桿状体視細胞は夜間に生じるような薄明かりの下で視力を提供する一方、錐体は日中の視力に責を負う。
【０１６７】
錐体は、長波長感応性（Ｌ）、中波長感応性（Ｍ）、および短波長感応性（Ｓ）の３つのタイプである。長、中、短という言葉は、分子が調整される電磁スペクトルの部分を指し、それぞれ赤、緑、青錐体を記述するために使用される一般に認識されている用語を生じさせる。
【０１６８】
錐体および桿状体は両方ともｉｐＲＧＣの上流にある。それらが活性化されると、上流の網膜配線により、ｉｐＲＧＣに励起または抑制がもたらされる。ｉｐＲＧＣへのＳ錐体入力は抑制的である。したがって、ｉｐＲＧＣはＳ錐体刺激光のオンセットによって抑制され、オフセットによって励起される。Ｍ錐体とＬ錐体が活性化されると、ｉｐＲＧＣが励起され、ＳＣＮに活動電位が送信される（図５）。桿状体も励起してｉｐＲＧＣにフィードを送る。
【０１６９】
メラノプシンのスペクトル調整は４８０ｎｍであり、色正常な人間ではＬ−オプシンは５５５〜５５９ｎｍでピークに達し、Ｍ−オプシンは５３０ｎｍでピークに達し、Ｓオプシンは４１９ｎｍでピークに達する。図６は、人間の相対的な光色素曲線を示しており、各受容体が各波長帯内で光子に反応する場所を示している。
【０１７０】
ｉｐＲＧＣ内のメラノプシンおよびＬ＋Ｍ錐体はｉｐＲＧＣを活性化し、必要な相対光量は光色素曲線により指定される。Ｓ錐体を活性化する光刺激はｉｐＲＧＣ活性を阻害し、Ｓ錐体活性化のオフセットはｉｐＲＧＣの阻害を解除し、ｉｐＲＧＣの活動電位を引き起こす。
【０１７１】
図４は、それぞれのピーク波長によって最初にトリガされたときのＬおよびＭ錐体からのｉｐＲＧＣの活性を示している。示されているように、ｉｐＲＧＣは錐体刺激に対して一過性の応答を生成し、光オンセット直後に最も活性であるが、光刺激が継続してもその活性は遅くなる。あるいは、Ｓ錐体が刺激されるとｉｐＲＧＣは阻害される。しかし、Ｓ錐体が活性化されない場合、ｉｐＲＧＣは活性化されるが、図３に示すように、Ｌ錐体とＭ錐体およびメラノプシンを刺激する光がアクティブになる。
【０１７２】
従来、ヒトの概日リズム、気分、覚醒および睡眠を操作することができる光を設計する際、ｉｐＲＧＣに存在する非視覚オプシンであるメラノプシンが脊椎動物の概日光同調に関与する主要な光色素であると仮定され、他の色素からの寄与は無視できることを示唆していた。これは、これらのアイデアが試験された実験室条件下で当てはまる。メラノプシンは、安定した拡散した明るい光によって最も刺激される。しかしながら、桿状体と錐体の寄与に対するｉｐＲＧＣの応答は一時的なものであり、桿状体入力は高い光レベルで飽和するため、明るい拡散定常光は概日系への桿状体と錐体の入力に対する刺激が不十分である。しかしながら、自然界では状況が逆転し、そこでは光と影の間で頻繁な移行があり、動物がその環境を突き抜けるとき、目に当たる光が色を絶えず変化する。ｉｐＲＧＣの応答閾値は、固有の光色素に作用する同じ光の場合よりも、錐体に入射する色付きの光の短い増分の場合に桁違いに低くなる。したがって、多くの自然条件下では、メラノプシンの寄与は無視することができる。したがって、本明細書に開示される光出力の時間的および色的特性の変調は、概日位相を操作し、活動リズム、気分、覚醒および睡眠に影響を与えるはるかにより自然で効果的な刺激を提供する。
【０１７３】
概日挙動におけるその役割に加えて、ｉｐＲＧＣからの入力を受け取る非画像形成視覚系は、瞳孔光応答にも責を負う。明るい光は瞳孔を収縮させ、光による損傷から目を保護する。有害な光レベルが存在する限り、瞳孔が収縮し続けることは有益である。ｉｐＲＧＣは刺激に対して一時的にしか応答しないため、瞳孔光応答は桿状体と錐体によって駆動することはできない。したがって、自然界では、ｉｐＲＧＣの固有の光色素は、非常に高い光レベルの下で瞳孔を収縮させ続ける保護メカニズムとして機能する。しかしながら、自然条件下では、桿状体と錐体の刺激は概日光同調の最も重要な媒介である。
【０１７４】
錐体視細胞は、もともと自然界の概日時間に関する情報を動物に提供するために進化し、このシステムはヒトでこの機能を果たし続けている。メラノプシンによって生成される持続的な応答特性は、瞳孔光反射を駆動するのに理想的に適しており、それがその目的のために進化したことを示唆している。視細胞変性のある動物や明るい、安定した均一な実験室照明への曝露の場合など、桿状体と錐体が無効になっている条件下でメラノプシンは概日系への重要な入力を提供できるという事実は、明らかに視交叉上核（ＳＣＮ）およびオリーブ様視蓋前野核（ｏｌｉｖａｒｙ  ｐｒｅｔｅｃｔａｌ  ｎｕｃｌｅｕｓ；ＯＰＮ）の痕跡であり、その両方とも同じ神経節細胞導管に多重化されている網膜からの情報を使用する。
【０１７５】
メラノプシンを駆動することによりｉｐＲＧＣを刺激するように設計された以前の方法は、５，０００ルクスを超える痛みを伴う高い光レベルを生成する場合に効果的であるのは確かであるが、同じ目的を達成するはるかに自然で効率的な方法をここで記載する。
【０１７６】
開示された方法は、Ｌ、Ｍ、およびＳ錐体視細胞からｉｐＲＧＣへの色の反対入力を標的とし、それらを色および時間的に変調して概日リズム同調経路を駆動する光源を含む。脳の概日リズム中枢へのシナプシングに責を負う神経節細胞が、収束するＬ錐体とＭ錐体の興奮性入力と抑制性Ｓ錐体の入力を有することが分かっているため、光源は互いに位相が１８０度ずれたＬ＋ＭおよびＳ刺激を生成する。Ｌ錐体とＭ錐体は同じ符号でこのシステムにフィードするため、組み合わされたそれらは約５５０ｎｍの最大感度を有するが、約５００〜６３０ｎｍでそれらを駆動するのに十分な感度がある。Ｓ錐体は４１９ｎｍに最も敏感であるが、４００〜４８０ｎｍの光が強いＳ錐体応答を引き起こすことができる。例には、ＳＣＮマスター時計を同期し、概日リズム、気分、活動、覚醒および睡眠に関与する他の中枢を刺激するために、ｉｐＲＧＣ（概日経路）で活性を引き起こすのに役立つ光を生成することが含まれる。光の色と時間の性質は、ｉｐＲＧＣの高いトリガ率が上流のＬ＋Ｍ対Ｓ錐体シグナリングに起因するという事実を活用する。短波長刺激はｉｐＲＧＣの活動を抑制するため、それをプライミングする。Ｌ＋Ｍ刺激がＳに交換されると、活動電位の即時かつ高速のトリガトレインが軸索を介してＳＣＮに送信される。Ｌ／Ｍ刺激とＳ刺激が交互になると、ｉｐＲＧＣが強力に連続的に活性化される。
【０１７７】
一時的に、最終的にｉｐＲＧＣを励起するＬ＋ＭおよびＳ刺激を生成するために使用することができる様々な波形。方形波、正弦波、およびランプ波が機能し、Ｌ＋ＭおよびＳの色刺激間で変調する他のタイミングが望ましい結果を達成する場合がある。錐体は非常に高い一時的周波数に応答できない。また、ｉｐＲＧＣの最大トリガ率のバーストは短期間のみ持続され、これにより低い周波数刺激は最適でなくなる。したがって、ｉｐＲＧＣ経路で最大のシグナル伝達を達成するためのターゲット変調周波数は、０．１〜１００Ｈｚである。Ｌ＋Ｍ刺激とＳ刺激の間のデューティサイクルは５０％で実装されるが、Ｌ＋Ｍ１％＜デューティサイクル＜９９％の場合、大きな応答が得られる。
【０１７８】
ｉｐＲＧＣ（メラノプシン神経節細胞）に固有の光感受性分子は、４８０ｎｍのピーク感度を有する。４８０ｎｍ＋／−２０ｎｍを中心とする光による刺激は、経路を直接刺激できるが、固有の光色素分子を活性化するには、光強度は少なくとも５０００ルクスでなければならない。網膜視床下部経路を駆動するための以前の方法は、固有メラノプシン分子を直接刺激することを試みた（例えば、青色光季節性情動障害（ＳＡＤ）光）。より高い強度の光が必要な理由は、神経節細胞内のメラノプシンの分子密度が低く、ｉｐＲＧＣは光感受性のすべての細胞の０．２％未満を占めているためであり、またｉｐＲＧＣの向きと形状が、光が分子と相互作用できる低い表面領域を形成するためである。これまで、５０００ルクス未満の拡散した安定した青色光と１０，０００ルクス未満の広帯域「白色」光の強度は、網膜視床下部経路を刺激するには不十分であることが示されていた。対照的に、ｉｐＲＧＣの上流の錐体視細胞は１ルクス未満で動作することができる。したがって、非常に低い照明レベルを使用して、より快適なユーザ体験と、１０，０００ルクスを生成する大型のデスクライトと同じくらい効果的な、バッテリ寿命の長い小型のポータブル製品とを生み出すことができる。
【０１７９】
図７は位相応答曲線を示している。個人の内因性概日位相と比較して、一日の異なる時間に与えられる本開示に記載された光源からの光パルスは以下を行い得る：（１）何もしない、（２）位相遅延、または（３）個人の位相前送り。図８の点線は、概日リズムの位相の前送りをグラフで表している。概日リズムを前送りするには、ｉｐＲＧＣを介したＬ＋Ｍ対Ｓ錐体駆動応答が図７の水平軸より上の領域で発生する必要がある。図９は概日リズムの位相の遅延をグラフで表している。概日リズムを遅延するには、ｉｐＲＧＣを介したＬ＋Ｍ対Ｓ錐体信号が図７の水平軸より下で発生する必要がある。（Ｃｚｅｉｓｌｅｒ）参考文献：「ヒト対象者の単一の明るい光パルスに対する位相応答曲線」、Ｓａｔ  Ｂｉｒ  Ｓ．  Ｋｈａｌｓａ、Ｍｅｇａｎ  Ｅ．  Ｊｅｗｅｔｔ、Ｃｈｒｉｓｔｉａｎ  Ｃａｊｏｃｈｅｎ  ａｎｄ  Ｃｈａｒｌｅｓ  Ａ．  Ｃｚｅｉｓｌｅｒ。
【０１８０】
図１０は、その日の早めにピークに達するように概日リズムの位相前送りを行い、午後の同期のために位相遅延を行うために、人間が同様の概日リズムにある伝統的な仕事のシフトに有用である商業的に実行可能な定常または定常状態光源のスペクトルパワー曲線を表す。このタイプの前送り−遅延サイクルは、太陽光の自然なアコーディオン効果をシミュレートして、人間の概日リズムを設定、リセット、および同期する。しかし、５００〜６３０ｎｍの波長範囲でより高いパーセンテージの全光束を使用することにより、Ｌ＋Ｍ錐体視細胞に焦点を合わせているため、より高い効率が得られる。これは、交互のピーク波長光源ほど高い位相シフト率に対して生産的ではないが、安定した神経節細胞応答を引き起こし、概日位相に影響を与える。
【０１８１】
例えば、より高いパーセンテージの５００〜６３０ｎｍの光を有する８００ルーメン光源は、Ｌ＋Ｍ錐体視細胞を標的とする光子のより高い確率のためにより多くのｉｐＲＧＣ活性を励起するであろう。これはメラノプシン神経節細胞を標的とするピークブルー（４８０ｎｍ）波長範囲の光のパーセンテージがより高い８００ルーメンの光源とは対照的である。室内照明は太陽光ほど高い照度値を持たないため、太陽光の完全なスペクトル曲線を直接複製することは、日中の太陽光は４４０〜５００ｎｍの間にピークがあるためあまり効果的ではない。
【０１８２】
しかしながら、他の最近の研究は、メラノプシン単独の寄与が、実験室で使用される人工光周期以外の概日活動の同期に関与しない可能性があることを実証した。桿状体を欠くマウスは、１ルクス未満の照度で実験的光周期に同調することができない（ＥｂｉｈａｒａおよびＴｓｕｊｉ、１９８０年、およびＭｒｏｓｏｖｓｋｙ、２００３年）。さらに、中波長感受性錐体を欠いているが、無傷のメラノプシン神経節細胞を有するマウスは、１０ルクスの標準実験室光周期または５３０ｎｍの光の１５分のパルスに同調できなかったが、３６０ｎｍおよび４８０ｎｍの光の１５分のパルスに同調できた（Ｄｋｈｉｓｓｉ−Ｂｅｎｙａｈｙａ  ｅｔ  ａｌ。２００７）。したがって、メラノプシンのみに依存する概日システムは、夜明けと夕暮れによく見られる、より長い波長の光に鈍感であり、この効果は我々の実験内で再現された。
【０１８３】
前の例は、光子がメラノプシン神経節細胞に当たる確率よりも数桁高いＬ＋Ｍ錐体視細胞に光子が当たる確率に言及している。したがって、２つの異なる光源を比較すると、利用可能な光子の総数が各範囲で等しく、Ｌ＋Ｍオプシン範囲でピークに達する光源はより多くの神経節細胞活動をトリガする。
【０１８４】
例示的な実施形態
【０１８５】
４００〜４８０ｎｍの波長でピークに達しかつ眼での０．１ルクスの最小ピーク照度の紫色光と、５００〜６３０ｎｍの波長でピークに達しかつ目での０．１ルクスの最小ピーク照度の光とからなるがこれに限定されないＬＥＤを使用する変調光源；反対の変調は概日リズムを前送りまたは遅延させる目的の１００Ｈｚ未満の方形波、正弦波、または三角波からなるがこれら限定されず；季節性情動障害の治療灯として使用する；および／または気分を向上させるものとして使用する。
【０１８６】
４００〜４８０ｎｍの波長でピークに達し、周囲光の存在下で眼での０．１ルクスの最小ピーク照度の紫色光からなるがこれに限定されないＬＥＤを使用する変調光源。変調は、概日リズムを前送りまたは遅延させる目的の１００Ｈｚ未満の方形波、正弦波、または三角波からなるがこれらに限定されず；季節性情動障害の治療灯として使用する；および／または気分を向上させるものとして使用する。
【０１８７】
０Ｈｚに固定されるか、または０．１Ｈｚより高い周波数で変調し、４７０〜５８０ｎｍのピーク波長を有する光源からなるがこれに限定されないＬＥＤを使用し、概日シンクロナイザ向け、季節性情動障害の治療向け、および生産性向上のための気分向上向けの使用として、商業環境での光同調のためのＬおよびＭオプシン産生に焦点を当てる目的でより低いパーセンテージの照度の高ＣＲＩ白色光源を追加する、定常光源。
【０１８８】
０Ｈｚに固定されるか、または０．１Ｈｚ超で変調し、６００〜７００ｎｍのピーク波長からなるがこれに限定されないＬＥＤを使用し、概日非攪乱装置として照射するために白色光源を色シフトするために高ＣＲＩを有する低スペクトルパワー白色光源を追加する、定常光源。
【０１８９】
蛍光体を使用して４７０〜５８０ｎｍのピーク波長を有する色シフトＬＥＤを作る高ＣＲＩ  ＬＥＤ、または４７０〜５８０ｎｍのピーク波長を有する同じ高ＣＲＩ光を達成するランプ内のＬＥＤの混合。概日シンクロナイザ向け、季節性情動障害の治療向け、および生産性向上のための気分向上向けの使用として、商業環境での光同調のためのＬ−およびＭ−オプシン産生に焦点を当てる目的のため。
【０１９０】
前述の例のいずれかの光源を使用する建築、タスク、エリア、および読書用照明アプリケーションを備えた照明器具。
【０１９１】
前述の例のいずれかの光源を使用するゴーグル、ヘッドバンド、アームおよびリストウェアなどの個人用ウェアラブル装置用途。
【０１９２】
前述の例のいずれかの光源を使用する自動車および航空宇宙のダッシュ、アクセント、および客室の一般照明用途、ならびに自動車のヘッドライト。
【０１９３】
前述の例のいずれかの光源を使用する携帯照明装置。
【０１９４】
前述の例のいずれかの光源を使用する医学療法または周囲装置。
【０１９５】
前述の例のいずれかの光源を使用する携帯電話、タブレット、コンピュータモニタ、テレビおよび関連物などのディスプレイのバックライト。
【０１９６】
前述の例のいずれかの光源を使用する乳児および子供に使用される照明器具またはランプ。
【０１９７】
前述の例のいずれかの光源を使用する対象者が眠っている間に網膜に光を当てるために使用されるウェアラブル装置。
【０１９８】
一例は、眼での最小照度が０．１ルクスの低強度のちらつき光源であり、これは、短波長および長波長光源の組み合わせを使用して、本質的に感光性の網膜神経節をトリガすることによりヒトの概日リズムをシフトまたは同期させる。この例はまた、概日リズムを自然にシフトまたは同期させるために、Ｌ＋Ｍ錐体ＲＧＣ刺激にさらに焦点を当てた、より高いＣＲＩの市販の定常光源である。この例には、建築、ポータブル、パーソナル、自動車、および医療機器で点滅する光源を使用して、人間の概日リズムをシフトする用途が含まれる。
【０１９９】
一例は、４００〜７８０ｎｍの可視スペクトル内の光の存在を伴う、４８０〜５８０ｎｍのピーク波長を有する高ＣＲＩ「白色」ＬＥＤを含む。
【０２００】
一例は、４００〜７８０ｎｍの可視スペクトル内の光の存在を伴う、４８０〜５８０ｎｍのピーク波長を有する光出力を形成するために高ＣＲＩ「白色」ＬＥＤと組み合された４８０〜５６０ｎｍのピークを有する複数の個別のＬＥＤの組み合わせを使用するランプを含む。
【０２０１】
一例は、Ｌ＋Ｍオプシン光感度範囲内の光をＳ光感度範囲の紫色光とともに変調して、トリガリングにより高レベルの神経節細胞活性を生成し、次いで神経節細胞の活性をすぐに阻害することを含む。これは、トリガされた直後にＬ＋Ｍ神経節細胞が最も活性化され、その後、再びトリガされ得るように遮断されるためであり；Ｓ神経節細胞は紫色の光を除去した直後に活性化される。青色光と比較して、これは概日位相に影響を与える光子のより高い有効性の使用である。
【０２０２】
これは、青色（メラノプシン）および紫色光を変調することでも行うことができる。しかし、青色光の光子の半分は実際にレンズを通過し、メラノプシン神経節細胞はＬ＋Ｍ錐体よりもはるかに少なく、小さいため、メラノプシン神経節細胞を標的とする光子の確率はＬ＋Ｍ神経節細胞を標的とする光子よりもはるかに低くなる。
【０２０３】
Ｌ＋Ｍ神経節細胞を標的化することは、変調光および定常光の両方でメラノプシン神経節細胞を標的化するよりも有効である。
【０２０４】
メラトニンは概日位相ドライバではない。メラトニンはホルモンであり、概日位相の指標にすぎず、人がピーク期（正午ごろ）にあるときに最も低く、人がベース期（真夜中ごろ）にあるときに最も高くなる。
【０２０５】
ヒトのメラトニンレベルの測定は、唾液および血液中のメラトニン測定が容易であるため、概日位相指標として使用される。他のホルモンは、概日位相の特定のポイントでピークと谷を形成するため、概日位相インジケータとして使用できるが、相関については簡単に測定できない。多くの人がメラノプシンとメラトニンを関連していると混同しているが、相関関係はない。
【０２０６】
可視波長の光は、メラトニン分泌を抑制または生成しない。体は、可視光の存在に関係なく、人体の位相同期の結果として、一日を通してさまざまなレベルでホルモンメラトニンを生成する。
【０２０７】
人体内のすべてのホルモンは、概日位相に応じて同期する。ホルモン（メラトニンなど）ではなくタンパク質（オプシン）が、可視光によって網膜内で生成および阻害される。
【０２０８】
概日位相の前送りおよび遅延は、日中のいつでも可視光によって駆動することはできない。概日位相の前送り（より早いピーク）は、個々のピークの前にのみ発生する。概日位相遅延（より遅い下落）は、個々のピークの後にのみ発生する。
【０２０９】
本明細書で使用される際「相関色温度（ＣＣＴ）」という用語は、ケルビン度で表される各温度で鉄によって発せられる光の色と比較した場合の特徴付けられた光源から発せられた光の見かけの色を指し得る。
【０２１０】
様々な例示的な態様および例示的な実施形態が本明細書で開示されたが、他の態様および実施形態が当業者には明らかであろう。本明細書で開示される様々な例示的な態様および例示的な実施形態は、例示を目的とするものであり、限定を意図するものではなく、真の範囲および趣旨は添付の特許請求の範囲によって示される。
【図１】
2020520546.tif 000003
【図２】
2020520546.tif 000004
【図３】
2020520546.tif 000005
【図４】
2020520546.tif 000006
【図５】
2020520546.tif 000007
【図６】
2020520546.tif 000008
【図７】
2020520546.tif 000009
【図８】
2020520546.tif 000010
【図９】
2020520546.tif 000011
【図１０】
2020520546.tif 000012
【図１１】
2020520546.tif 000013
【図１２】
2020520546.tif 000014
【図１３】
2020520546.tif 000015
【図１４】
2020520546.tif 000016
【図１５】
2020520546.tif 000017
【国際調査報告】
2020520546.tif 000018
2020520546.tif 000019
2020520546.tif 000020
2020520546.tif 000021
2020520546.tif 000022